(57)【特許請求の範囲】
【請求項１】
メディア・アクセス制御（ＭＡＣ）プロトコル・データ・ユニット（ＰＤＵ）のヘッダ内のセグメント化表示（ＳＩ）フィールドを処理する方法であって、
前記ＭＡＣ  ＰＤＵの前記ヘッダ内の前記ＳＩフィールドの値を受信することであって、前記ＳＩフィールドは、ＭＡＣ  ｅｎｈａｎｃｅｄ  ｈｉｇｈ  ｓｐｅｅｄ（ＭＡＣ−ｅｈｓ）サービス・データ・ユニット（ＳＤＵ）の少なくとも１つのセグメントを含むリオーダリングＰＤＵに対応すること、および
前記ＳＩフィールドの前記値に基づいて、１または複数のＭＡＣ  ＰＤＵを多重分離エンティティに送達することであって、前記ＳＩフィールドの前記値が、前記リオーダリングＰＤＵの最初のリオーダリングＳＤＵが最後のＭＡＣ−ｅｈｓ  ＳＤＵセグメントであることを示すことを条件に、受信したＭＡＣ−ｅｈｓ  ＳＤＵセグメントと格納されたＭＡＣ−ｅｈｓ  ＳＤＵセグメントとが連続しているか否かに基づいて、前記１または複数のＭＡＣ  ＰＤＵを送達し、前記ＳＩフィールドの前記値が、前記リオーダリングＰＤＵの最後のリオーダリングＳＤＵが最初のＭＡＣ−ｅｈｓ  ＳＤＵセグメントであることを示すことを条件に、前記１または複数のＭＡＣ  ＰＤＵは、前記最後のリオーダリングＳＤＵを除く前記リオーダリングＰＤＵ内の各リオーダリングＳＤＵに対応すること
を備えたことを特徴とする方法。
【請求項２】
前記ＳＩフィールドが、前記リオーダリングＰＤＵの前記最初のリオーダリングＳＤＵが、前記最後のＭＡＣ−ｅｈｓ  ＳＤＵセグメントであることを示す前記値を有することを条件に、かつ、前記受信したＭＡＣ−ｅｈｓ  ＳＤＵセグメントと前記格納されたＭＡＣ−ｅｈｓ  ＳＤＵセグメントとが連続していることを条件に、
前記受信したＭＡＣ−ｅｈｓ  ＳＤＵセグメントと前記格納されたＭＡＣ−ｅｈｓ  ＳＤＵセグメントとを組み合わせること、および
前記組み合わされたセグメントを前記多重分離エンティティに送達すること
をさらに備えたことを特徴とする請求項１に記載の方法。
【請求項３】
前記ＳＩフィールドが、前記リオーダリングＰＤＵの前記最初のリオーダリングＳＤＵが、前記最後のＭＡＣ−ｅｈｓ  ＳＤＵセグメントであることを示す前記値を有することを条件に、前記受信したＭＡＣ−ｅｈｓ  ＳＤＵセグメントと前記格納されたＭＡＣ−ｅｈｓ  ＳＤＵセグメントとが連続していない場合、前記受信したＭＡＣ−ｅｈｓ  ＳＤＵセグメントと前記格納されたＭＡＣ−ｅｈｓ  ＳＤＵセグメントとを破棄することをさらに備えたことを特徴とする請求項１に記載の方法。
【請求項４】
前記ＳＩフィールドが、前記リオーダリングＰＤＵの前記最初のリオーダリングＳＤＵが、前記最後のＭＡＣ−ｅｈｓ  ＳＤＵセグメントであることを示す前記値を有することを条件に、前記受信したＭＡＣ−ｅｈｓ  ＳＤＵセグメントと前記格納されたＭＡＣ−ｅｈｓ  ＳＤＵセグメントとが連続していない場合、前記１または複数のＭＡＣ  ＰＤＵは、前記受信したＭＡＣ−ｅｈｓ  ＳＤＵセグメントと前記格納されたＭＡＣ−ｅｈｓ  ＳＤＵセグメントとに続いて受信されたＭＡＣ  ＰＤＵを含むことを特徴とする請求項１に記載の方法。
【請求項５】
前記ＳＩフィールドが、前記リオーダリングＰＤＵの前記最後のリオーダリングＳＤＵが、前記最初のＭＡＣ−ｅｈｓ  ＳＤＵセグメントであることを示す前記値を有することを条件に、
格納されたＭＡＣ−ｅｈｓ  ＰＤＵのいくつかを破棄すること、および
前記最後のリオーダリングＳＤＵを格納すること
をさらに備えたことを特徴とする請求項１に記載の方法。
【請求項６】
メディア・アクセス制御（ＭＡＣ）プロトコル・データ・ユニット（ＰＤＵ）のヘッダ内のセグメント化表示（ＳＩ）フィールドを処理する無線送受信ユニット（ＷＴＲＵ）であって、
前記ＭＡＣ  ＰＤＵの前記ヘッダ内の前記ＳＩフィールドの値を受信することであって、前記ＳＩフィールドは、ＭＡＣ  ｅｎｈａｎｃｅｄ  ｈｉｇｈ  ｓｐｅｅｄ（ＭＡＣ−ｅｈｓ）サービス・データ・ユニット（ＳＤＵ）の少なくとも１つのセグメントを含むリオーダリングＰＤＵに対応し、
前記ＳＩフィールドの前記値に基づいて、１または複数のＭＡＣ  ＰＤＵを多重分離エンティティに送達することであって、前記ＳＩフィールドの前記値が、前記リオーダリングＰＤＵの最初のリオーダリングＳＤＵが最後のＭＡＣ−ｅｈｓ  ＳＤＵセグメントであることを示すことを条件に、受信したＭＡＣ−ｅｈｓ  ＳＤＵセグメントと格納されたＭＡＣ−ｅｈｓ  ＳＤＵセグメントとが連続しているか否かに基づいて、前記１または複数のＭＡＣ  ＰＤＵを送達し、前記ＳＩフィールドの前記値が、前記リオーダリングＰＤＵの最後のリオーダリングＳＤＵが最初のＭＡＣ−ｅｈｓ  ＳＤＵセグメントであることを示すことを条件に、前記１または複数のＭＡＣ  ＰＤＵは、前記最後のリオーダリングＳＤＵを除く前記リオーダリングＰＤＵ内の各リオーダリングＳＤＵに対応する
ように構成されたプロセッサを備えたことを特徴とするＷＴＲＵ。
【請求項７】
前記プロセッサは、前記ＳＩフィールドが、前記リオーダリングＰＤＵの前記最初のリオーダリングＳＤＵが、前記最後のＭＡＣ−ｅｈｓ  ＳＤＵセグメントであることを示す前記値を有することを条件に、かつ、前記受信したＭＡＣ−ｅｈｓ  ＳＤＵセグメントと前記格納されたＭＡＣ−ｅｈｓ  ＳＤＵセグメントとが連続していることを条件に、
前記受信したＭＡＣ−ｅｈｓ  ＳＤＵセグメントと前記格納されたＭＡＣ−ｅｈｓ  ＳＤＵセグメントとを組み合わせ、
前記組み合わされたセグメントを前記多重分離エンティティに送達する
ようにさらに構成されたことを特徴とする請求項６に記載のＷＴＲＵ。
【請求項８】
前記プロセッサは、前記ＳＩフィールドが、前記リオーダリングＰＤＵの前記最初のリオーダリングＳＤＵが、前記最後のＭＡＣ−ｅｈｓ  ＳＤＵセグメントであることを示す前記値を有することを条件に、前記受信したＭＡＣ−ｅｈｓ  ＳＤＵセグメントと前記格納されたＭＡＣ−ｅｈｓ  ＳＤＵセグメントとが連続していない場合、前記受信したＭＡＣ−ｅｈｓ  ＳＤＵセグメントと前記格納されたＭＡＣ−ｅｈｓ  ＳＤＵセグメントとを破棄するようにさらに構成されたことを特徴とする請求項６に記載のＷＴＲＵ。
【請求項９】
前記ＳＩフィールドが、前記リオーダリングＰＤＵの前記最初のリオーダリングＳＤＵが、前記最後のＭＡＣ−ｅｈｓ  ＳＤＵセグメントであることを示す前記値を有する場合、かつ、前記受信したＭＡＣ−ｅｈｓ  ＳＤＵセグメントと前記格納されたＭＡＣ−ｅｈｓ  ＳＤＵセグメントとが連続していない場合、前記１または複数のＭＡＣ  ＰＤＵは、前記受信したＭＡＣ−ｅｈｓ  ＳＤＵセグメントと前記格納されたＭＡＣ−ｅｈｓ  ＳＤＵセグメントとに続いて受信されたＭＡＣ  ＰＤＵを含むことを特徴とする請求項６に記載のＷＴＲＵ。
【請求項１０】
前記プロセッサは、前記ＳＩフィールドが、前記リオーダリングＰＤＵの前記最後のリオーダリングＳＤＵが、前記最初のＭＡＣ−ｅｈｓ  ＳＤＵセグメントであることを示す前記値を有することを条件に、
格納されたＭＡＣ−ｅｈｓ  ＰＤＵのいくつかを破棄し、
前記最後のリオーダリングＳＤＵを格納する
ようにさらに構成されたことを特徴とする請求項６に記載のＷＴＲＵ。
【発明の詳細な説明】
【技術分野】
【０００１】
本発明は、ｅｖｏｌｖｅｄ  ＨＳＰＡでの多用途のＭＡＣ多重化の方法および装置に関する。
【背景技術】
【０００２】
通信標準規格は、無線システムのグローバル接続性を提供し、たとえばスループット、待ち時間、およびカバレッジに関して性能目標を達成するために開発される。広く使用されている、ｈｉｇｈ  ｓｐｅｅｄ  ｐａｃｋｅｄ  ａｃｃｅｓｓ  （ＨＳＰＡ）と呼ばれる１つの現在の標準規格は、Ｔｈｉｒｄ  Ｇｅｎｅｒａｔｉｏｎ（３Ｇ）Ｒａｄｉｏ  Ｓｙｓｔｅｍの一部として開発され、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって保守されている。
【０００３】
Ｈｉｇｈ−Ｓｐｅｅｄ  Ｐａｃｋｅｔ  Ａｃｃｅｓｓ（ＨＳＰＡ）は、既存のＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）プロトコルの性能を拡張し、改善するモバイル・テレフォニ・プロトコルの集合である。Ｈｉｇｈ  Ｓｐｅｅｄ  Ｄｏｗｎｌｉｎｋ  Ｐａｃｋｅｔ  Ａｃｃｅｓｓ（ＨＳＤＰＡ）およびＨｉｇｈ  Ｓｐｅｅｄ  Ｕｐｌｉｎｋ  Ｐａｃｋｅｔ  Ａｃｃｅｓｓ（ＨＳＵＰＡ）は、改善された変調方式を使用することならびに送受話器および基地局がそれによって通信するプロトコルを洗練することによって高められた性能をもたらす。
【０００４】
ＨＳＰＡは、１４．４Ｍビット／ｓまでの改善された理論ダウンリンク（ＤＬ）性能および５．７６Ｍビット／ｓまでの改善された理論アップリンク（ＵＬ）性能を提供する。既存のデプロイメント（deployment）は、ＤＬで７．２Ｍビット／ｓまでおよびＵＬで３８４ｋビット／ｓまでを提供する。ｅｖｏｌｖｅｄ  ＨＳＰＡは、３ＧＰＰ  Ｒｅｌｅａｓｅ  ７で定義されている。これは、レガシ機器のほとんどをバイパスし、無線データレートを高めることによって、モバイルネットワークのより単純なアーキテクチャを導入する。
【０００５】
３ＧＰＰシステムの物理レイヤの上では、メディア・アクセス制御（ＭＡＣ）レイヤを、複数のエンティティに分割することができる。新しいＭＡＣエンティティ、すなわち、ＭＡＣ  ｅｎｈａｎｃｅｄ  ｈｉｇｈ  ｓｐｅｅｄ（ＭＡＣ−ｅｈｓ）が、ＤＬでのＨＳＰＡのために導入され、最適化された。ＭＡＣ−ｅｈｓエンティティは、ＭＡＣ  ｈｉｇｈ  ｓｐｅｅｄ（ＭＡＣ−ｈｓ）の代わりに使用することができる。ＵＬでは、新しいＭＡＣエンティティ、すなわち、改善された（improved）ＭＡＣ（ＭＡＣ−ｉ／ｉｓ）が、ＨＳＰＡのために導入され、最適化された。ＭＡＣ−ｉ／ｉｓエンティティを、ＭＡＣ−ｅ／ｅｓの代わりに使用することができる。ＭＡＣ−ｅｈｓエンティティおよび／またはＭＡＣ−ｉ／ｉｓエンティティは、上位レイヤによって構成され、この上位レイヤは、Ｈｉｇｈ  Ｓｐｅｅｄ  Ｄｏｗｎｌｉｎｋ  Ｓｈａｒｅｄ  Ｃｈａｎｎｅｌ（ＨＳ−ＤＳＣＨ）および／またはＥｎｈａｎｃｅｄ  Ｕｐｌｉｎｋ  Ｃｈａｎｎｅｌ（Ｅ−ＤＣＨ）上で伝送されるデータを処理し、ＨＳ−ＤＳＣＨに割り振られた物理リソースを管理するように構成される。
【０００６】
ＭＡＣ−ｅｈｓエンティティは、柔軟な無線リンク制御（ＲＬＣ）プロトコル・データ・ユニット（ＰＤＵ）サイズならびにＭＡＣセグメント化および再アセンブリをサポートすることを可能にする。ＨＳＤＰＡ用のＭＡＣ−ｈｓとは異なって、ＭＡＣ−ｅｈｓは、２ｍｓという１つのｔｒａｎｓｍｉｓｓｉｏｎ  ｔｉｍｅ  ｉｎｔｅｒｖａｌ（ＴＴＩ）内の複数の優先順位キューからのデータの多重化を可能にする。
【０００７】
スケジューリング／優先順位ハンドリング機能は、スケジューリング判断の責任を負う。２ｍｓのＴＴＩごとに、単一ストリーム送信または二重ストリーム送信のどちらを使用するかが判断される。新しい送信または再送信は、肯定応答／否定肯定応答（ＡＣＫ／ＮＡＣＫ）ＵＬフィードバックに従って送信され、新しい送信は、いつでも開始することができる。ＣＥＬＬ＿ＦＡＣＨ状態、ＣＥＬＬ＿ＰＣＨ状態、およびＵＲＡ＿ＰＣＨ状態では、ＭＡＣ−ｅｈｓは、さらに、アップリンク・シグナリングに頼らずにＨＳ−ＤＳＣＨ上で再送信を実行することができる。
【０００８】
受信器側でのリオーダリング（reordering：再順序付け）は、優先順位キューに基づく。送信シーケンス番号（ＴＳＮ）が、リオーダリングを可能にするために各リオーダリング・キュー内で割り当てられる。受信器側では、ＭＡＣ−ｅｈｓ  ＳＤＵまたはそのセグメントが、論理チャネル識別子に基づいて、正しい優先順位キューに割り当てられる。
【０００９】
ＭＡＣ−ｅｈｓ  ＳＤＵを、送信器側でセグメント化することができ、受信器側で再アセンブルされる。ＭＡＣレイヤでは、論理チャネルのセットが、トランスポート・チャネルにマッピングされる。トランスポート・チャネルの２つのタイプは、複数のＷＴＲＵによって共有できる「共通」トランスポート・チャネル（ＭＡＣ−ｃ）および単一のＷＴＲＵに割り振られる「専用（個別）」トランスポート・チャネル（ＭＡＣ−ｄ）を含む。ＭＡＣ−ｅｈｓ  ＳＤＵは、ＭＡＣ−ｃ  ＰＤＵまたはＭＡＣ−ｄ  ＰＤＵのいずれかである。ＭＡＣ−ｅｈｓ  ＰＤＵに含まれるＭＡＣ−ｅｈｓ  ＳＤＵは、異なるサイズおよび異なる優先順位を有することができ、異なるＭＡＣ−ｄフローまたはＭＡＣ−ｃフローに属することができる。
【００１０】
ＭＡＣ−ｅｈｓヘッダの通常のベースラインは、ＭＡＣ−ｅｈｓが柔軟なＲＬＣ  ＰＤＵサイズを用いて構成されたＲｅｌｅａｓｅ  ７  ＲＬＣ  ａｃｋｎｏｗｌｅｄｇｅ  ｍｏｄｅ（ＡＭ）インスタンスによって使用される論理チャネルを多重化する時に、かなり低いオーバーヘッドをもたらす。これは、ＭＡＣ  ＳＤＵのサイズがヘッダの異なるフィールドの総サイズよりかなり大きいことに起因する。
【００１１】
しかし、通常のベースラインが、望ましくないレベルのオーバーヘッドをもたらす状況がある。たとえば、論理チャネルは、柔軟なＲＬＣ  ＰＤＵサイズを用いて構成されたＲＬＣ  ＡＭインスタンスによって、またはＲｅｌｅａｓｅ  ６  ＲＬＣ  ＡＭインスタンスに対して使用される。後者のインスタンスは、ＲＬＣをリセットせず、ＲＬＣエンティティを固定ＲＬＣ  ＰＤＵを用いて動作するように構成された状態に保つことによって、Ｒｅｌｅａｓｅ  ６基地局から３ＧＰＰ  Ｒｅｌｅａｓｅ  ７基地局へのハンドオーバを使用可能にする可能性から生じる場合がある。もう１つの例では、現在のチャネル条件を用いて可能なＭＡＣ−ｅｈｓ  ＰＤＵサイズが、小さく、ＳＤＵの少数（たとえば２個）のセグメントを含む。この例では、ヘッダが、かなりのオーバーヘッドを構成する可能性がある。
【００１２】
ＭＡＣ−ｅｈｓ機能性をサポートするための通常のシグナリング要件は、不十分である。ＭＡＣ−ｅｈｓ  ＰＤＵ機能性をサポートするのに必要なシグナリングの量を減らすことが望ましい。シグナリングを減らす１つの可能性は、基地局で単一のＭＡＣ−ｅｈｓ  ＰＤＵ内の異なる論理チャネルおよび優先順位キューからの異なるサイズのＳＤＵの多重化／多重分離を実行することであるはずである。もう１つの可能性は、異なるサイズで異なる論理チャネルに属するＳＤＵの多重化／多重分離を実行することであるはずである。最後に、ＭＡＣ−ｅｈｓ  ＳＤＵの連結／ディスアセンブリ、およびセグメント化／再アセンブリが望ましいはずである。
【発明の概要】
【発明が解決しようとする課題】
【００１３】
表１に、セグメント化表示（segmentation indication）が優先順位キューに従って定義される時のセグメント化表示（ＳＩ）フィールドの符号化を示す。このフィールドの意味は、ＳＤＵの最終セグメントの後に、パディングがＭＡＣ−ｅｈｓヘッダの終りに存在する時に、ＷＴＲＵ側での混乱を引き起こす可能性がある。この場合に、示された符号化によるセグメント化表示は、「１１」である必要があるはずである。しかし、ＷＴＲＵは、これを、ＳＤＵが完了していないことを意味すると解釈し、そのＳＤＵを再アセンブリバッファに挿入することがある。この混乱を回避するために、このフィールドの符号化を変更することが望ましいはずである。
【００１４】
【表１】
0005982534.tif 000002
【課題を解決するための手段】
【００１５】
ｅｖｏｌｖｅｄ  ＨＳＰＡでの多用途のメディア・アクセス制御（ＭＡＣ）多重化の方法および装置を開示する。より詳細には、ｅｎｈａｎｃｅｄ  ｈｉｇｈ  ｓｐｅｅｄ  ＭＡＣ（ＭＡＣ−ｅｈｓ）エンティティのダウンリンク最適化およびＭＡＣ−ｉ／ｉｓエンティティのアップリンク最適化の方法を開示する。最適化されたダウンリンクおよびアップリンクのＭＡＣエンティティを使用する装置をも開示する。
【００１６】
より詳細な理解は、例として与えられ、添付図面と共に理解されるべき次の説明から得ることができる。
【図面の簡単な説明】
【００１７】
【図１】ｅｖｏｌｖｅｄ  ＨＳＰＡでの多用途のＭＡＣ多重化用に構成された無線通信システムを示すブロック図である。
【図２】異なる論理チャネルおよび優先順位キューからのＳＤＵの多重化に使用されるペイロード・ヘッダを示す図である。
【図３ａ】ＳＤＵが連結／セグメント化される形、そのサイズ、およびそれが対応する論理チャネルを効率的にシグナリングするように配置されたＳＤＵ記述スーパーフィールド（ＳＤＳＦ）フィールドの全般的構造を示す図である。
【図３ｂ】異なる論理チャネルおよび優先順位キューからのリオーダリングＰＤＵを多重化するのに使用されるｋ個のリオーダリングＰＤＵを含むＭＡＣ−ｅｈｓ  ＰＤＵのペイロード・ヘッダ・フォーマットを示す図である。
【図４】ＭＡＣ−ｅｈｓ  ＰＤＵを処理し、ＭＡＣ−ｅｈｓ  ＳＤＵを再構成する動作を示す流れ図である。
【図５】各ディスアセンブリ／再アセンブリ／多重分離ユニット内のデータ処理機能性を示す流れ図である。
【図６】同一ＭＡＣ−ｅｈｓ  ＰＤＵ内の異なるタイプの論理チャネルの効率的な多重化を可能にするために関係する論理チャネルに属するＳＤＵ（１つまたは複数）を記述するヘッダの諸部分を示す図である。
【図７】同一ＭＡＣ−ｅｈｓ  ＰＤＵ内の異なるタイプの論理チャネルの効率的な多重化を可能にするために関係する論理チャネルに属するＳＤＵ（１つまたは複数）を記述するヘッダの代替構成を示す図である。
【図８】同一ＭＡＣ−ｅｈｓ  ＰＤＵ内の異なるタイプの論理チャネルの効率的な多重化を可能にするために関係する論理チャネルに属するＳＤＵ（１つまたは複数）を記述するヘッダの代替構成を示す図である。
【図９】同一ＭＡＣ−ｅｈｓ  ＰＤＵ内の異なるタイプの論理チャネルの効率的な多重化を可能にするために関係する論理チャネルに属するＳＤＵ（１つまたは複数）を記述するヘッダの代替構成を示す図である。
【図１０】リオーダリングＰＤＵが１つのリオーダリングＳＤＵだけを含む場合のＳＩフィールドの解釈の変更された方法を示す流れ図である。
【図１１】２ビットＳＩフィールドを、オーバーヘッドを最小にする１つの可能な符号化としてどのように使用できるかを示す図である。
【図１２】ＳＩフィールドを事前に決定されるものとすることができる符号化を定式化する代替方法を示す図である。
【図１３】再アセンブリ・ユニットがリオーダリングＰＤＵに関連するＳＩフィールドをどのように処理するかを示す流れ図である。
【図１４】再アセンブリ・ユニットが組合せ機能または破棄機能をどのように実行できるかを示す流れ図である。
【図１５】リオーダリングＰＤＵ内に複数のリオーダリングＳＤＵがある場合にペイロード・ユニットをどのように処理すべきかを示す流れ図である。
【図１６】図１４および１５に示された組み合わされた再アセンブリ・プロセスを示す流れ図である。
【図１７】再アセンブリ・ユニットがリオーダリングＰＤＵに関連するＳＩフィールドをどのように処理するかを示す流れ図である。
【発明を実施するための形態】
【００１８】
以下で参照される時に、用語「無線送受信ユニット（ＷＴＲＵ）」は、ユーザ機器（ＵＥ）、移動局、固定のまたはモバイルの加入者ユニット、ポケットベル、セル電話機、携帯情報端末（ＰＤＡ）、コンピュータ、または無線環境で動作できる任意の他のタイプのユーザデバイスを含むが、これらに限定はされない。以下で参照される時に、用語「基地局」は、Ｎｏｄｅ−Ｂ、サイトコントローラ、アクセスポイント（ＡＰ）、または無線環境で動作できる任意の他のタイプのインターフェースするデバイスを含むが、これらに限定はされない。
【００１９】
上で述べた状況で効率的なＭＡＣ−ｅｈｓヘッダ（またはアップリンクではＭＡＣ−ｉ／ｉｓ）をもたらす実施形態を開示する。これらの実施形態は、異なるタイプの論理チャネルの多重化を可能にしながら相対オーバーヘッドを最小にするためにヘッダ構造を改善する。これらの実施形態は、ＳＤＵの独自のセグメントがペイロード内に存在する時にヘッダの潜在的に曖昧な解釈が生じる可能性があるという問題をも除去する。次の定義が、本明細書全体で使用される。「ＭＡＣ−ｅｈｓペイロード・ユニット」（「ＭＡＣ−ｉｓペイロード・ユニット」）または「ペイロード・ユニット」は、ＭＡＣ−ｅｈｓ  ＰＤＵ（「ＭＡＣ−ｉｓ  ＳＤＵ」）のペイロードに挿入されるＭＡＣ−ｅｈｓ  ＳＤＵまたはＭＡＣ−ｅｈｓ  ＳＤＵ（「ＭＡＣ−ｉｓ  ＳＤＵ」）セグメントと同義である。これは、用語「リオーダリングＳＤＵ」とも同義である。諸実施形態は、ＭＡＣ−ｅｈｓエンティティのダウリンク最適化を説明するが、その概念は、ＭＡＣ−ｅｈｓをＭＡＣ−ｉ／ｉｓに置換することによってアップリンク（ＵＬ）にも適用可能である。
【００２０】
図１は、ｅｖｏｌｖｅｄ  ＨＳＰＡでの多用途のＭＡＣ多重化用に構成された無線通信システム１００のブロック図である。このシステムは、基地局１０５および無線送受信ユニット（ＷＴＲＵ）１１０を含む。基地局１０５およびＷＴＲＵ  １１０は、無線通信リンクを介して通信する。
【００２１】
図１に示されているように、ＷＴＲＵ  １１０は、送信器１２０、受信器１３０、およびプロセッサ１４０を含む。プロセッサ１４０は、バッファ１５０およびメモリ１６０に接続される。プロセッサ１４０は、下で説明する少なくとも１つの技法を使用してペイロード・ユニットを処理するように構成される。
【００２２】
図１には、送信器１６５、受信器１７０、およびプロセッサ１８０を含む基地局１０５も示されている。プロセッサ１８０は、バッファ１９０およびメモリ１９５に接続される。プロセッサ１８０は、下で説明する少なくとも１つの技法を使用してペイロード・ユニットを処理するように構成される。
【００２３】
図２は、異なる論理チャネルおよび優先順位キューからのＳＤＵの多重化に使用されるペイロード・ヘッダ２００である。第１実施形態では、複数の優先順位キューからのＳＤＵの、単一のＭＡＣ−ｅｈｓ  ＰＤＵへの多重化を開示する。さらに、複数の論理チャネルからのＳＤＵの、単一の優先順位キューへのマージが含まれる。
【００２４】
ＭＡＣ−ｅｈｓ  ＰＤＵは、１つまたは複数の優先順位キューからの１つまたは複数のＳＤＵの連結および／またはセグメント化によって作成される。ヘッダが、図２に示されているように構造内のペイロードに取り付けられる。ヘッダ２８０は、複数ｋ個のキューセクション２０５を含み、各ｋ個のキューセクション２０５は、送信シーケンス番号（ＴＳＮ）２４０、ＳＤＵ記述スーパーフィールド（ＳＤＳＦ）２５０、および「終了」フラグ（Ｆ）２６０を含む。各ｋ個のキューセクション２０５は、優先順位キューに対応し、そこからＳＤＵ（１つまたは複数）（またはそのセグメント）がとられる、ここで、ｋは、優先順位キューの個数であり、そこからＳＤＵがこのＭＡＣ−ｅｈｓ  ＰＤＵに多重化される。ヘッダ２８０は、オプションのバージョンフラグ２１０および／またはオプションのキューＩＤフィールド２３０を含むこともできる。
【００２５】
オプションのバージョンフラグ２１０は、後方互換性を保証するために、プロトコルのどのバージョンが使用されるかを示す。ＭＡＣ−ｅｈｓの以前のバージョンが存在するので、このフィールドは、２ビットを有する必要がある。バージョンフラグ２１０は、異なるＭＡＣ−ｅｈｓヘッダ・フォーマットをサポートするために無線ベアラ（radio bearer）がマッピングされる時に、使用することができる。各無線ベアラは、特定のフォーマットを使用するように構成される。あるいは、ＭＡＣ−ｅｈｓフォーマットを、明示的に、またはＨｉｇｈ  Ｓｐｅｅｄ  Ｓｈａｒｅｄ  Ｃｏｎｔｒｏｌ  Ｃｈａｎｎｅｌ（ＨＳ−ＳＣＣＨ）上のシグナリングによって暗黙のうちに、のいずれかで識別することができる。ＭＡＣ−ｅｈｓ  ＰＤＵに多重化する無線ベアラを、その無線ベアラ用に構成されたＭＡＣ−ｅｈｓフォーマットによって制限することができる。
【００２６】
図２に示されているように、各ヘッダ２８０は、ペイロード内の対応するＳＤＵがどのリオーダリング・キューに属するかを識別するオプションのキューＩＤフィールド２３０を含むことができる。リオーダリング・キューは、優先順位キューに直接にマッピングされてもされなくてもよい。ヘッダ２８０は、このキューＩＤのデータのシーケンス番号を識別する少なくとも１つの送信シーケンス番号（ＴＳＮ）フィールド２４０をも含む。ヘッダ２８０に含まれるもう１つの特徴は、ＳＤＵをどのようにディスアセンブルし、かつ／または再アセンブルするかを示し、それらがどの論理チャネル（１つまたは複数）に属するかを示す、少なくとも１つのＳＤＵ記述スーパーフィールド（ＳＤＳＦ）２５０である。このスーパーフィールドに関する詳細およびオプションは、後で説明する。ヘッダ２８０は、このヘッダ・セクションがヘッダの最後のセクションであるのか別のサブヘッダが続くのかを示す、少なくとも１つのオプションの「終了」フラグ２６０をも含むことができる。
【００２７】
ＭＡＣ−ｅｈｓヘッダ２８０には、ＭＡＣ−ｅｈｓペイロード２９０が続き、このＭＡＣ−ｅｈｓペイロード２９０は、一連のＭＡＣ−ｅｈｓ  ＳＤＵまたはＭＡＣ−ｅｈｓ  ＳＤＵのセグメント２９５、およびオプションのパディングビット２７０を含む。パディングビット２７０は、ＭＡＣ−ｅｈｓ  ＰＤＵレベルでのオクテット・アライメント（整列）を維持するために、必要に応じてペイロード２９０に追加することができる。許容されるトランスポート・ブロック（ＴＢ）サイズを有するアライメントが、ＨＳ−ＤＳＣＨトランスポート・チャネル（ＴｒＣＨ）にマッピングされる。
【００２８】
図３ａに示されているように、ＳＤＵ記述スーパーフィールド２５０は、ある優先順位キューからのＳＤＵがどのように連結／セグメント化されるか、そのサイズ、およびそれが対応する論理チャネルを効率的にシグナリングするように配置される。
【００２９】
性能の損失なしに、ＳＤＵを、優先順位キュー内でシーケンシャルな形でセグメント化することができる。これは、ＳＤＵまたはそのセグメントの送信が、前のＳＤＵの最後のＳＤＵまたはセグメントが送信済みになる（または同一ＭＡＣ−ｅｈｓ  ＰＤＵ内で送信されつつある）まで、制限されることを意味する。この制約を伴って、（異なる）ＳＤＵの多くとも２つのセグメントが、その間の無制限の個数のフル（非セグメント化ＳＤＵ）と一緒に、ＭＡＣ−ｅｈｓ  ＰＤＵ内の特定のリオーダリング・キューについて存在する。
【００３０】
図３ｂは、異なる論理チャネルおよび優先順位キューからのリオーダリングＰＤＵを多重化するのに使用されるｋ個のリオーダリングＰＤＵを含むＭＡＣ−ｅｈｓ  ＰＤＵのペイロード・ヘッダ・フォーマットである。リオーダリング・キューごとのＭＡＣ−ｅｈｓ  ＰＤＵ  ３９５内のペイロード２９０の開始の位置は、識別可能であると仮定される。ヘッダ２８０内にリストされる最初のリオーダリング・キューに対応するデータについて、ペイロード２９０の開始は、ヘッダの直後である。このことは、最後の優先順位キューを除く、図３ａに示された各優先順位キューのＳＤＳＦフィールド２５０が、対応するペイロードの総サイズを判定するように構成されるならば、後続リオーダリング・キューに対応するデータについても可能である。図３ａの構造は、この要件を満足する。
【００３１】
図３ａに示されているように、ＳＤＳＦフィールド２５０の全般的構造は、次の要素を含む。「フル／セグメント開始」（ＦＳＳ）フラグ３２０は、このリオーダリング・キューのペイロードの開始位置にあるデータが、ＳＤＵのセグメントまたはＳＤＵ全体（フルＳＤＵ）のどちらに対応するのかを示す。「フル／セグメント終了」（ＦＳＥ）フラグ３６０は、ＦＳＳフラグに続き、この優先順位キューのペイロードの最後の位置にあるデータが、ＳＤＵのセグメントまたはＳＤＵ全体のどちらに対応するのかを示す。ＦＳＳおよびＦＳＥの組合せは、図３ｂに示されたセグメント化表示（ＳＩ）フィールド３９７と同等である。ペイロード２９０内に存在するＳＤＵまたはＳＤＵセグメントのそれぞれについて、ＳＤＵ（またはそのセグメント）が属する論理チャネルを含む論理チャネル・インジケータ（ＬＣＩＤ）フィールド３３０と、ＳＤＵ（またはそのセグメント）の長さを示す長さインジケータ（ＬＩ）フィールド３４０（このフィールドは、後続実施形態でより詳細に説明する）と、このＳＤＵに続く少なくとももう１つのＳＤＵ（またはそのセグメント）があるかどうか、またはこのリオーダリング・キューについてこれが最後のＳＤＵ（またはそのセグメント）であるかどうかを示す「ＳＤＵ終り」フラグ３５０（このフィールドは、１ビットを有することができる）とが含まれる。
【００３２】
ＦＳＳフラグ３２０とＦＳＥフラグ３６０との両方が、１つのＳＤＵ（またはそのセグメント）だけがある場合であってもセットされなければならないことに留意されたい。ＦＳＳ  ３２０およびＦＳＥ  ３６０を、たとえばＳＩと呼ぶことのできる２ビットの単一フィールドとして識別することができることにも留意されたい。この場合に、１対１マッピングを、フラグＦＳＳ３２０およびＦＳＥの値の各可能な組合せとＳＩフィールドの２ビットの各可能な組合せとの間で定義することができる。たとえば、
・ＦＳＳ ＝ セグメントおよびＦＳＥ ＝ セグメントを、ＳＩ＝１１にマッピングすることができ、
・ＦＳＳ ＝ フルおよびＦＳＥ ＝ セグメントをＳＩ＝１０にマッピングすることができ、
・ＦＳＳ ＝ セグメントおよびＦＳＥ ＝フルをＳＩ＝０１にマッピングすることができ、
・ＦＳＳ ＝ フルおよびＦＳＥ ＝ フルをＳＩ＝００にマッピングすることができる
逆に、上のマッピングを用いると、ＦＳＳおよびＦＳＥの値を、ＳＩフィールドから次のように取り出すことができる。
・ＦＳＳ ＝ セグメントは、最初のペイロード・ユニットがセグメントであることに対応する
○１つのペイロード・ユニットだけがあり、セグメントが中間セグメントである場合には、これは、ＳＩ＝１１に対応する（すなわち、ＦＳＥにもフルがセットされる）
○セグメントが、ＭＡＣ−ｅｈｓ  ＳＤＵの最後のセグメントである場合に、これは、単一のペイロード・ユニットがある時または最後のペイロード・ユニットが完全なＭＡＣ−ｅｈｓ  ＳＤＵである（すなわち、ＦＳＥにフルがセットされる）場合にＳＩ＝０１に対応し、あるいは、最後のペイロード・ユニットがセグメントである（すなわち、ＦＳＥにセグメントがセットされる）場合に、ＳＩ＝１１に対応する
・ＦＳＳ ＝ フルは、単一のペイロード・ユニットがある時または最後のペイロード・ユニットがＭＡＣ−ｅｈｓ  ＳＤＵの最初のセグメントである（すなわち、ＦＳＥにフルがセットされる）時にＳＩ＝１０に対応し、完全なＭＡＣ−ｅｈｓ  ＳＤＵだけが存在する（すなわち、ＦＳＥにもフルがセットされる）時にＳＩ＝００に対応する。
・ＦＳＥ ＝ セグメントは、上で説明したようにＦＳＥに依存してＳＩ＝１１またはＳＩ＝１０に対応する
・ＦＳＥ ＝ フルは、上で説明したようにＦＳＥに依存してＳＩ＝０１またはＳＩ＝００に対応する
やはり図３ａに示されているように、ＬＣＩＤフィールド３３０およびＬＩフィールド３４０を、一緒に、アップリンクに関するｅｎｈａｎｃｅｄ  ｄｅｄｉｃａｔｅｄ  ｃｈａｎｎｅｌ（Ｅ−ＤＣＨ）符号化で使用されるものに似た単一のＤａｔａ  Ｄｅｓｃｒｉｐｔｉｏｎ  Ｉｎｄｉｃａｔｏｒ（ＤＤＩ）フィールドとして識別することができる。しかし、符号化の原理は、下で説明するように、異なるものとすることができる。
【００３３】
複数のオプションが、ＬＣＩＤフィールド３３０の符号化に関して可能である。１つのオプションは、符号化が、ターゲット・チャネル・タイプ・フィールド（ＴＣＴＦ）および制御トラフィック番号付け（Ｃ／Ｔ  ｍｕｘ）について、専用制御チャネル／専用トラフィックチャネル（ＤＣＣＨ／ＤＴＣＨ）の場合と同一の識別方式に従うことができるということである。ＭＡＣ−ｃレイヤでは、ＴＣＴＦフィールドおよびＣ／Ｔ  ｍｕｘフィールドが、一緒に、１つの論理チャネルを識別する。ＴＣＴＦは、ターゲット・チャネル・タイプを識別し、Ｃ／Ｔ  ｍｕｘは、インデックスを識別する。このオプションでは、ＭＡＣ−ｃと同一タイプの符号化を可能にすることができる。この場合に、ＴＣＴＦと論理チャネルのタイプ（たとえば、共通制御チャネル（ＣＣＣＨ）、ページング制御チャネル（ＰＣＣＨ）、専用制御チャネル（ＤＣＣＨ）など）との間のマッピングを、既知の実施形態と同一の形で指定することができる。この場合に、ＬＣＩＤフィールドによって占有されるビット数は、可変である。その代わりに、ＴＣＴＦおよびＣ／Ｔを、協同で、共通パラメータにコーディングすることができる。チャネルタイプは、Ｃ／Ｔとして構成することができ、あるいは、ＬＣＩＤの一意の値を指定することができる。
【００３４】
オプションで、所与の時に受信器が利用していることができる論理チャネル（すべてのタイプの）の最大の可能な個数がＮＬｍａｘであり、ＮＬｍａｘを、これらの論理チャネルのビット数（ＮＬＭｂビット）によって表すことができると仮定すると、ＬＣＩＤフィールドは、ＮＬＭｂ個のビットを含み、論理チャネル識別子を含む。たとえば、ネットワークは、１６個までの論理チャネル（すなわち、ＮＬｍａｘ＝１６）を構成することができる。したがって、１６個の論理チャネルを識別できるために、４ビット（すなわち、ＮＬＭｂ＝４）が必要になるはずである。この論理チャネル識別子とそれが対応する論理チャネルとの間のマッピングは、以前の無線リソース制御／Ｎｏｄｅ  Ｂアプリケーションパート（ＲＲＣ／ＮＢＡＰ）シグナリングから既知であり、および／または前もって指定される（事前に決定される）。いくつかの値は、単一のインスタンスが可能である論理チャネルのタイプに予約済みとすることができる。たとえば、１つのＣＣＣＨだけがあるものとすることができ、特定の値を、このチャネルのために事前に決定することができる。
【００３５】
オプションで、受信器が全体として利用できる論理チャネルの全体的な最大の可能な個数より少ない所与の優先順位キュー内で多重化できる論理チャネルの最大の可能な個数（ＮＬＱｍａｘ）があるものとすることができる。ＮＬＱｍａｘを、ＮＬＱｍａｘを識別するのに必要なビット数（ＮＬＭＱｂビット）によって表すことができる場合に、ＬＣＩＤフィールドは、ＮＬＭＱｂ個のビットを含む。その場合に、ＮＬＭＱｂ個のビットの値の各可能なセットと論理チャネルタイプおよび／またはインデックスとの間のマッピングは、各優先順位キューに固有であり、以前のＲＲＣ／ＮＢＡＰシグナリング（定義された優先順位キューごとに潜在的に異なるマッピングを指定する）から既知である。このオプションは、上で示した論理チャネルのある種のタイプに関する事前に決定される値の使用を除外しない。
【００３６】
後で詳細に説明するように、ＭＡＣ−ｅｈｓヘッダを構成する複数のオプションがある。図３ａに示されているように、ＳＤＳＦフィールド２５０を定義して、同一の論理チャネルに属するおよび／または同一の長さを有する複数のＳＤＵが互いに続く時のオーバーヘッドを最小にするために「個数」（Ｎ）フィールド３８０の使用をサポートすることができる。
【００３７】
Ｎフィールド３８０は、必ず存在し、同一の長さを有し同一の論理チャネルに属するＮ個の連続するＳＤＵのすべてのグループについてＬＣＩＤフィールド３３０およびＬＩフィールド３４０に先行する（またはこれに続く）ことができる。
【００３８】
Ｎフィールド３８０は、必ず存在し、同一の論理チャネルに属するＮ個の連続するＳＤＵのすべてのグループについてＬＣＩＤフィールド３３０に先行する（またはこれに続く）ことができるが、各ＳＤＵは、それ自体のＬＩフィールド３４０を有するはずである。
【００３９】
Ｎフィールド３８０は、Ｎが１より大きい場合に、Ｎ個の連続するＳＤＵ（同一の長さおよび論理チャネルを有する）のグループについてのみ存在することができる。「複数ＳＤＵ」（ＭＳ）フラグ３９０が、Ｎフィールド３８０が存在するか否かを示すことができる。これは、ペイロードのＳＤＵが、すべてが異なる長さを有するか異なる論理チャネルに属する時のＮフィールド３８０の存在に起因する過剰なオーバーヘッドのリスクを減らす。
【００４０】
Ｎフィールド３８０は、Ｎが１より大きい場合に、Ｎ個の連続するＳＤＵ（同一の論理チャネルからの）のグループについてのみ存在することができる。ＭＳフラグ３９０が、Ｎフィールド３８０が存在するか否かを示すことができる。どの場合でも、各ＳＤＵは、それ自体のＬＩ  ３４０フィールドを有するはずである。
【００４１】
Ｎフィールド３８０を、特定のＬＣＩＤフィールド３３０について構成することができる。ＬＣＩＤ  ３３０は、Ｎフィールド３８０が存在するかどうかを曖昧さなしに識別することができる。
【００４２】
ＬＣＩＤ  ３３０を、最初のＳＤＵについて、このＳＤＵがセグメントである場合に省略することができる。その原理は、最初のセグメントが送信された時に、情報が前のＭＡＣ−ｅｈｓ  ＰＤＵ内に存在しなければならないことである。あるいは、ＬＣＩＤフィールド３３０を、最後のＳＤＵについて、このＳＤＵがセグメントである場合に省略することができる。
【００４３】
ＳＤＵ（またはそのセグメント）またはＳＤＵのグループごとに「ＳＤＵ終り」フラグ３５０を挿入する代わりに、この優先順位キューのペイロード内のＳＤＵまたはＳＤＵセグメントの総数を示すＳＤＳＦフィールド全体に関する単一の「ＮＴｏｔ」フィールド（図示せず）を追加することができる。このフィールドのサイズは、ＭＡＣ−ｅｈｓ  ＰＤＵ内の優先順位キューごとのＳＤＵの最大の可能な個数に依存する。
【００４４】
各ＳＤＵまたはそのセグメントの長さを示す複数の方法が存在する。すべてのＳＤＵまたはそのグループもしくはセグメントについてＬＩ  ３４０を利用する複数の実施形態が存在する。この実施形態は、各ＳＤＵまたはそのグループもしくはセグメントの長さを効率的にシグナリングするためにＬＩフィールド３４０をどのように構造化するかを説明するものである。
【００４５】
ＬＩ  ３４０は、ＳＤＵまたはそのセグメントが含む正確なビット数（または、各ＳＤＵがオクテット整列されることが課せられる場合にはオクテット数）を指定する。この表現は、一般に知られたバイナリフォーマットの１つ（たとえば、最上位ビット（ＭＳＢ）が先または最下位ビット（ＬＳＢ）が先）を使用して作ることができる。ＬＩ  ３４０フィールドの長さは、ＳＤＵの最大の可能な長さに依存する。複数の可能なオプションが、ＬＩ  ３４０フィールドの長さについて可能である。１つのオプションでは、ＬＩ  ３４０の長さは、事前に決定され、論理チャネル（ＬＣＩＤフィールド３３０）に関わりなく固定され、所与のＲＬＣインスタンスについて最大ＳＤＵサイズをセットするためのすべての以前のシグナリングに関わりなく、すべての論理チャネルにまたがって最大ＳＤＵサイズ（ビット単位またはオクテット単位）を表すのに必要なビット数である。代替オプションでは、ＬＩ  ３４０の長さは、論理チャネル（ＬＣＩＤ）フィールド３３０に依存し、この論理チャネルの最大ＳＤＵサイズ（ビット単位またはオクテット単位）を表すのに必要なビット数である。最大ＳＤＵサイズは、無線ベアラ・インスタンス化ごとに変化する可能性があり、再構成時にまたは動的にさえ変化する可能性がある。可能な曖昧さを回避するために、ネットワークは、ＬＩ  ３４０フィールドのサイズを受信器にシグナリングできると同時に、最大ＳＤＵサイズの変化をシグナリングすることもできる。
【００４６】
もう１つの変形形態は、サイズインジケータ（ＳＩＤ）（図示せず）およびＬＩ  ３４０の混合利用を含む。サイズインジケータ（ＳＩＤ）は、ＭＡＣ−ｅｈｓ  ＳＤＵの長さがサイズの事前定義されたセットのうちの１つである時に、必ず、送信器によって使用される。サイズインジケータは、各可能な値が事前定義のＳＤＵサイズを表す、少数のビット（たとえば、３つ）を有するフィールドである。そうではなく、ＳＤＵサイズが事前定義されたサイズのセットのうちの１つではない場合に、ビットまたはオクテットの正確な個数を指定する（バイナリフォーマットで）ＬＩ  ３４０が、非オクテット整列ＳＤＵの場合に使用される。受信器がＳＩＤとＬＩ  ３４０との間で区別することを可能にするために、１ビットのフラグが、ＳＩＤフィールドまたはＬＩ  ３４０フィールドのいずれかの前に挿入される。あるいは、ＳＩＤの適用が、ＬＣＩＤの構成に依存する。この場合に、ＳＩＤまたはＬＩ  ３４０の使用は、ＬＣＩＤ値に基づいて知られる。ＳＩＤフィールドのビット数が、一定である必要がないことに留意されたい。
【００４７】
ＭＡＣ−ｅｈｓ  ＰＤＵに含まれるＳＤＵのサイズ（１つまたは複数）を表すのに必要な平均ビット数の最小化は、ＳＩＤによって表されるサイズの事前定義のセットが最もしばしば出会うサイズのセットに対応する場合に、達成される。ＳＩＤ値と対応するＳＤＵサイズとの間のマッピングは、少なくとも送信器および受信器によって知られなければならない。複数の方法を定義して、ＳＩＤ値とＳＤＵサイズとの間の適切なマッピングを決定し、このマッピングを受信器および／または送信器にシグナリングすることができる。
【００４８】
１つのＳＩＤマッピング方法は、明示的な無線ネットワークコントローラ（ＲＮＣ）ベースのマッピングを利用する。この方法では、ＲＮＣは、ＳＩＤマッピングを判定し、そのマッピングを、それぞれＩｕｂおよびＲＲＣシグナリングを介して基地局とＷＴＲＵとの両方にシグナリングする。この方法の使用は、どのＬＣＩＤがＭＡＣ−ｅｈｓ  ＰＤＵ内に存在するかに依存する可能性がある。これは、ＲＮＣがすべての可能なＳＤＵサイズについてＳＩＤを定義することを要求されるかどうかにも依存する可能性があり、ここで、基地局は、挿入されなければならないＳＤＵのサイズがＳＩＤ値にマッピングされるサイズのうちの１つではない場合にＬＩを利用することができる。ＲＮＣは、最大ＲＬＣ  ＰＤＵサイズ、ステータスＲＬＣ  ＰＤＵのサイズ、またはＲＮＣによって見られる最も頻繁に発生すると観察されるＲＬＣ  ＰＤＵサイズなど（これらに限定はされない）、より頻繁に発生する（またはより頻繁に発生すると期待される）ＳＤＵサイズを選択することができる。
【００４９】
第２のＳＩＤマッピング方法は、暗黙のマッピングを使用する。この方法では、ＳＩＤとＳＤＵサイズとの間のマッピングが、明示的にはシグナリングされない。その代わりに、ＳＩＤは、送信器および受信器によって知られるルールによって、あるＳＤＵサイズを暗黙のうちに割り当てられる。この方法を使用するＳＩＤマッピングのルールの例は、ＳＩＤ値＃ｎ１を最大ＰＬＣ  ＰＤＵサイズに割り当てること、シナリオ（たとえば、ステータスＲＬＣ  ＰＤＵの通常の値）に関わりなく、ＳＩＤ値＃ｎ２をＮに割り当てること（Ｎは、頻繁に発生することがわかっている固定値である）、または、ＳＩＤ値＃ｎ３を最大ＲＬＣ  ＰＤＵサイズの半分（または、１／３もしくは１／４など、一部）に割り当て、したがって、２つ、３つ、または４つの等しいサイズでのセグメント化をサポートすることを含む。
【００５０】
第３のＳＩＤマッピング方法は、基地局ベースのマッピングを使用する。この方法では、ＳＩＤ値とＳＤＵサイズとの間のマッピングが、どのＳＤＵサイズが最もしばしば発生する傾向があるかの観察に基づいて決定される。このマッピングは、ＭＡＣシグナリングを介して通信される。マッピングをシグナリングする１つの可能な形は、ＬＩに続くように定義された「マッピング」フラグを使用することによるものである。このフラグがセットされている時に、続くビットは、ＬＩによって表されるサイズがＷＴＲＵでのこのＭＡＣ−ｅｈｓ  ＰＤＵの成功の受信に続いて後続ＭＡＣ−ｅｈｓ  ＰＤＵでマッピングされるＳＩＤ値を表す。したがって、受信器は、それがあるＳＩＤ値に割り当てることを望むサイズのＳＤＵを次に受信するのを待つ。そのＳＤＵが受信され、ＭＡＣ−ｅｈｓ  ＰＤＵが作成される時に、ＬＩは、通常通りにＳＤＵの長さをシグナリングするのに利用される。受信器は、「マッピング」フラグをセットし、その後にセットすべきＳＩＤ値を挿入する。ＭＡＣ−ｅｈｓ  ＰＤＵの正しい受信時に、送信器は、マッピングフラグがセットされていることを判定し、新しいサイズをそれに続くＳＩＤ値に割り当て、このＳＩＤ値に以前にマッピングされたすべてのサイズを破棄する。
【００５１】
ＭＡＣ−ｅｈｓ多重化に対する制約に関して可能ないくつかの特定の実施形態を開示する。これらの制約は、論理チャネルのサービス品質（ＱｏＳ）要件（たとえば、再送信、待ち時間、ブロックエラー比（ＢＬＥＲ））を満足するのに必要と考えることができる。
【００５２】
多重化制約を、どの優先順位キューを多重化できるかを指定する制御情報と共に、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）内のＩｕｂ／Ｉｕｒインターフェース上でシグナリングすることができる。優先順位キューが、論理チャネルを多重化することから形成される場合に、ＭＡＣ−ｅｈｓ多重化が論理チャネルから直接である場合（すなわち、優先順位キューが論理チャネルから形成されない、または優先順位キューと論理チャネルとの間に１対１マッピングがある時）に、どの論理チャネルを多重化できるかを判定することができる。
【００５３】
上のＭＡＣ−ｅｈｓ多重化制約の１つの応用例を、シグナリング無線ベアラ（ｓｉｇｎａｌｉｎｇ  ｒａｄｉｏ  ｂｅａｒｅｒ、ＳＲＢ）が非シグナリング無線ベアラと多重化されないこととすることができる。ＳＲＢが、非ＳＲＢとは別々に多重化される場合に、ＳＲＢに関するＴＢサイズ判定を、次の形で扱うことができる。ＲＡＣＨ測定値を使用して、ｒａｄｉｏ  ｒｅｓｏｕｒｃｅ  ｃｏｎｔｒｏｌ（ＲＲＣ）からの構成シグナリングおよび再構成シグナリング中に、ＳＲＢからのＳＤＵを担持するＭＡＣ−ｅｈｓ  ＰＤＵのＴＢサイズを判定し、ＭＡＣにシグナリングすることができる。
【００５４】
図４は、ＭＡＣ−ｅｈｓ  ＰＤＵを処理し、ＭＡＣ−ｅｈｓ  ＳＤＵを再構成するために実行される動作４００の流れ図である。ＭＡＣ−ｅｈｓ  ＰＤＵの受信時に、４０５で、ＭＡＣ−ｅｈｓ  ＰＤＵヘッダが、ヘッダがどこで終わるのかを見つけるのに「終了」フラグを利用して、ペイロードからはぎ取られ、そのセクションに分割される。ヘッダ・セクション（優先順位キュー）ごとに、対応するペイロード（ＳＤＵおよびそのフラグメント）が、４１０で、ＳＤＳＦから示されるように抽出され、４２０で、これがヘッダ・セクション自体に取り付けられて、リオーダリング「キューＰＤＵ」が作成され４３０、４４０で、このキューＰＤＵをリオーダリング・キューＩＤおよびＴＳＮに対応するリオーダリング・キューに挿入する。代替案では、ＰＤＵを作成する必要があるのではなく、ヘッダ・セクションに含まれる情報（たとえば、ＴＳＮ、ＳＤＳＦ）を、４２５で抽出し、リオーダリング・キュー内の対応するペイロードに関連付け、その結果、４５０でリオーダリングを実行できるようにし、その後、ディスアセンブリおよび／または再アセンブリを実行できるようにする。４５０でのリオーダリングプロセスに続いて、４６０で再アセンブリを実行する。４６０での再アセンブリが完了した後に、完全なＭＡＣ  ＳＤＵが、４７０で正しい論理チャネルに送達される。
【００５５】
各リオーダリング・キュー内で、リオーダリング機能性４５０は、ＭＡＣ−ｅｈｓ  ＰＤＵが１つまたは複数のリオーダリング・キューＰＤＵ（またはＴＳＮ、ＳＤＳＦ、および関連するペイロードのセット）に置換されるように実行され、リオーダリングされたＰＤＵは、ディスアセンブリ・ユニット（図示せず）ではなく、ＭＡＣ  ＳＤＵディスアセンブリ／再アセンブリ／多重分離ユニット（図示せず）に送られる。また、キュー固有タイマ（Ｔ１）（図示せず）をシグナリングすることができる。各リオーダリング・キューは、オプションで、別々のＴ１タイマを有することができる。
【００５６】
図５は、各ディスアセンブリ／再アセンブリ／多重分離ユニット内の例のデータ処理機能性５００の流れ図である。ＳＤＳＦフィールドを読み取ることによって、データが、各ディスアセンブリ／再アセンブリ／多重分離ユニット内で処理される。次では、この優先順位キューのＴＳＮ＝ｎのデータに関する動作を説明する。図５に示されているように、すべてのＳＤＵまたはＳＤＵセグメントが、５０５で、ＬＩフィールド、「ＳＤＵ終り」フラグ、および適用可能な場合にＮフィールドを利用してディスアセンブルされる。５１０で、ＦＳＳフラグにセグメントがセットされ、５２０で、この優先順位キューのＴＳＮ＝ｎ−１のデータがこのディスアセンブリ／再アセンブリ／多重分離ユニットに以前に送達されている場合に、ＳＤＵセグメント（この優先順位キューのペイロードの最初のＳＤＵ）が、５３０で、再アセンブリ・ユニット内に格納された以前のＰＤＵのセグメントを用いて再アセンブルされる。５４０で、ＳＤＵまたはＳＤＵセグメントの個数が１より大きいかどうかまたはＦＳＥフラグに「フル」がセットされているかどうかの判定を行う。ＳＤＵまたはＳＤＵセグメントの個数が１より大きい場合、またはＦＳＥフラグに「フル」がセットされている場合に、リオーダリングＰＤＵの最初のＳＤＵは、ＭＡＣ  ＳＤＵの最後のセグメントであり、完全に再アセンブルされたＳＤＵが、５５０で、ＬＣＩＤフィールドによって示される論理チャネルに対応するサービス・アクセス・ポイントのより上位のレイヤに送達される。ＳＤＵまたはＳＤＵセグメントの個数が１より小さく、ＦＳＥフラグに「セグメント」がセットされている場合に、ＳＤＵは、リオーダリングＰＤＵの中間セグメントであり、５４５で、再アセンブルされたセグメントが格納され、この手順は、そのリオーダリングＰＤＵについて終了する。
【００５７】
５１０でＦＳＳフラグに「セグメント」がセットされ、５２０でこの優先順位キューのＴＳＮ＝ｎ−１のデータが以前に送達されていない（たとえば、Ｔ１タイマが満了した場合）場合に、５２５で、ＳＤＵセグメントと、再アセンブリ・ユニットに格納された前のＰＤＵの前のＳＤＵセグメントが破棄される。次に、５８０で判定を実行して、１つより多数のＳＤＵセグメントが抽出されたかどうかを判定する。１つより多数のＳＤＵまたはＳＤＵセグメントが抽出されている場合には、受信器は、５７０で、最初のＳＤＵまたはＳＤＵセグメントと最後のＳＤＵまたはＳＤＵセグメントとの間の抽出されたＳＤＵを、ぞれぞれのＬＣＩＤフィールドによって示される論理チャネルに対応するサービス・アクセス・ポイントのより上位のレイヤに送達する。ＦＳＥフラグに「セグメント」がセットされている場合に、セグメントは、ＭＡＣ−ｅｈｓ  ＳＤＵの最初のセグメントであり、受信器は、５９０で、再アセンブリ・ユニットに格納された前のＰＤＵからのすべてのセグメントを破棄し、最後のＳＤＵセグメントを再アセンブリ・ユニットに挿入する。ＦＳＥフラグに「フル」がセットされている場合に、最後のペイロード・ユニットは、完全なＭＡＣ−ｅｈｓ  ＳＤＵであり、受信器は、５９５で、最後のＳＤＵをＬＣＩＤフィールドによって示される論理チャネルに対応するサービス・アクセス・ポイントのより上位のレイヤに送達する。
【００５８】
５１０でＦＳＳフラグにセグメントがセットされ、５２０でこの優先順位キューのＴＳＮ＝ｎ−１のデータが以前に送達されている場合に、ＳＤＵセグメントは、以前に格納されたＰＤＵセグメントを用いて再アセンブルされる。５４０で、ＳＤＵまたはＳＤＵセグメントが１つより多いまたはＦＳＥフラグに「フル」がセットされていると判定される場合に、受信器は、５５０で、完全に再アセンブルされたＳＤＵをＬＣＩＤフィールドによって示される論理チャネルに対応するサービス・アクセス・ポイントのより上位のレイヤに送達する。次に、５８０で判定を実行して、１つより多数のＳＤＵセグメントが抽出されたかどうかを判定する。１つより多数のＳＤＵまたはＳＤＵセグメントが抽出されている場合に、受信器は、５７０で、最初のＳＤＵまたはＳＤＵセグメントと最後のＳＤＵまたはＳＤＵセグメントとの間の抽出されたＳＤＵを、それぞれのＬＣＩＤフィールドによって示される論理チャネルに対応するサービス・アクセス・ポイントのより上位のレイヤに送達する。ＦＳＥフラグに「セグメント」がセットされている場合に、そのセグメントは、ＭＡＣ−ｅｈｓ  ＳＤＵの最初のセグメントであり、受信器は、５９０で、再アセンブリ・ユニットに格納された前のＰＤＵからのすべてのセグメントを破棄し、そのセグメントを再アセンブリ・ユニットに挿入する。ＦＳＥフラグに「フル」がセットされている場合に、受信器は、５９５で、最後のＳＤＵをＬＣＩＤフィールドによって示される論理チャネルに対応するサービス・アクセス・ポイントのより上位のレイヤに送達する。５４０で、ＳＤＵまたはＳＤＵセグメントが１つより少ないまたはＦＳＥフラグに「セグメント」がセットされていると判定される場合に、パケットが組み合わされ、格納され、この手順は５４５で終了する。
【００５９】
５１０でＦＳＳフラグに「フル」がセットされ、ＦＳＥに「セグメント」がセットされていない時には、最初のペイロード・ユニットは、完全なＳＤＵであり、５６０で、最初のＳＤＵが、ＬＣＩＤフィールドによって示される論理チャネルに対応するサービス・アクセス・ポイントのより上位のレイヤに送達される。その後、５８０で判定を実行して、１つより多数のＳＤＵセグメントが抽出されたかどうかを判定する。１つより多数のＳＤＵまたはＳＤＵセグメントが抽出されている場合に、受信器は、５７０で、最後のＳＤＵまたはＳＤＵセグメントまでの抽出されたＳＤＵを、それぞれのＬＣＩＤフィールドによって示される論理チャネルに対応するサービス・アクセス・ポイントのより上位のレイヤに送達する。ＦＳＥフラグに「セグメント」がセットされている場合に、受信器は、５９０で、再アセンブリ・ユニットに格納された前のＰＤＵからのすべてのセグメントを破棄し、最後のＳＤＵセグメントを再アセンブリ・ユニットに挿入する。ＦＳＥフラグに「フル」がセットされている場合に、受信器は、５９５で、最後のＳＤＵをＬＣＩＤフィールドによって示される論理チャネルに対応するサービス・アクセス・ポイントのより上位のレイヤに送達する。
【００６０】
もう１つの実施形態で、ベースライン・ヘッダに対する変更を導入して、ＲＬＣサイズの事前定義のセットが適用される論理チャネルすなわち、３ＧＰＰ  Ｒｅｌｅａｓｅ  ７で使用可能な柔軟なＲＬＣ  ＰＤＵサイズを用いて構成されたＲＬＣインスタンスによって使用されない論理チャネルをより効率的にサポートすることができる。たとえば、これらのチャネルを、固定ＰＤＵサイズを用いて構成されたＡＭ  ＲＬＣインスタンスまたは固定ＰＤＵサイズを用いて構成されたｕｎａｃｋｎｏｗｌｅｄｇｅｄ  ｍｏｄｅ（ＵＭ）ＲＬＣインスタンスによって使用することができる。
【００６１】
図６は、同一ＭＡＣ−ｅｈｓ  ＰＤＵ内の異なるタイプの論理チャネルの効率的な多重化を可能にするために関係する論理チャネルに属するＳＤＵ（１つまたは複数）を記述するヘッダ６００の諸部分である。この実施形態で説明される変更は、関係する論理チャネルに属するＳＤＵ（１つまたは複数）を記述するヘッダ６００の諸部分のみに影響することができる。言い換えると、柔軟なＰＤＵサイズが適用される、同一ＭＡＣ−ｅｈｓ  ＰＤＵ内で多重化される他の論理チャネルがある場合に、ヘッダのうちでこれらの論理チャネルに対応する部分は、それでも、ベースライン・ヘッダまたはこれらのチャネルに適用可能なベースライン・ヘッダの任意の改善に従うことができる。これは、同一ＭＡＣ−ｅｈｓ  ＰＤＵ内での異なるタイプの論理チャネルの効率的な多重化を可能にする。この例では、ＬＣＨ−ＩＤ２  ６１０によって識別される論理チャネルだけが、固定ＰＤＵサイズ（１つまたは複数）を用いて構成されたＲＬＣインスタンスによって使用される。下で説明する変更は、それに関連するフィールド６２０（図６では肉太で示される）だけに適用される。ヘッダ６００のこの部分を、これ以降は「ヘッダ部分」と称する。
【００６２】
この実施形態に関する複数のオプションがある。オプション１は、関係する論理チャネルのセグメント化を可能にしないが、より単純である。オプション２ａおよび２ｂは、セグメント化を可能にする。
【００６３】
図７は、同一ＭＡＣ−ｅｈｓ  ＰＤＵ内の異なるタイプの論理チャネルの効率的な多重化を可能にするために関係する論理チャネルに属するＳＤＵ（１つまたは複数）を記述するヘッダ７００の構成である。オプション１は、固定ＰＤＵサイズ（１つまたは複数）が適用される論理チャネルのセグメント化を可能にしない。論理チャネルＩＤ  ７１０の直後のヘッダ部分は、必ずしも順番通りではないが、次のフィールドを含む。オプションで、送信シーケンス番号（ＴＳＮ）７２０が、論理チャネルＩＤ  ７１０に続く。このフィールドは、ヘッダ内の前の論理チャネルが同一のリオーダリング・キューを利用している時には必要でない場合がある。オプションで、これがヘッダのＭＡＣ−ｅｈｓペイロード・ユニットの最後のセットであるかどうかを示すフィールドフラグ（Ｆｈ）７３０を続けることができる。このフィールドは、ヘッダの終りが、ＭＡＣ−ｅｈｓ  ＰＤＵのサイズをこれまでに復号されたペイロード・ユニットのサイズの合計と比較することによって判定される場合に、必要でない場合がある。その代わりに、このフィールドを使用して、優先順位キューの終りを示すこともできる。
【００６４】
ヘッダ７００は、通常、論理チャネルからの同一サイズの連結されたＳＤＵの個数を示すフィールド（Ｎ）７４０を含む。１つのオプションで、その個数が前のフィールドで示されたＳＤＵ（１つまたは複数）のサイズを示すフィールド（ＳＩＤ）７５０を含めることができる。この論理チャネルに対応するヘッダの一部が完了するかどうかを示すオプションの「終了」（Ｆｃ）フラグ７６０を含めることができる。このフラグが存在し、ヘッダが完了しないことを示す場合に、（Ｎ、ＳＩＤ、Ｆｃ）フィールドの追加のセットが、この論理チャネルについて続いて、ＳＩＤフィールドによって示されるサイズを有するＮ個のＳＤＵのもう１つのグループを示す。もう１つのオプションで、ヘッダのバイト整列を維持するのに必要なパディングビット７７０を含めることができる。これらのパディングビットは、その代わりに、複数の論理チャネルからのＳＤＵがＭＡＣ−ｅｈｓ  ＰＤＵ内で多重化される場合に、ヘッダの一番最後に存在することができる。
【００６５】
ＡＭ  ＲＬＣインスタンスによって使用される論理チャネルなど、単一の固定ＲＬＣ  ＰＤＵサイズが適用される論理チャネルについて、Ｆｃフィールド（終了フラグ）７６０を省略することができる。というのは、前もって、異なるサイズを有するＳＤＵの別のグループがないことがわかっているからである。さらに、それに加えてサイズ自体がわかっている場合に、ＳＩＤフィールド７５０も省略することができる。
【００６６】
代替構成の例を、図８および９に示す。図８および９に示されたコンポーネントは、図７のコンポーネントに対応する。図８は、ＬＣＨ−ＩＤが単一の固定ＲＬＣ  ＰＤＵサイズを含む場合のヘッダ８００の例である。図９は、２つの論理チャネルからのＭＡＣ−ｅｈｓ  ＳＤＵが一緒に多重化される場合のヘッダ９００の例である。一方の論理チャネルは、柔軟なＲＬＣ  ＰＤＵサイズを用いて構成されたＲＬＣインスタンスによって使用され、他方の論理チャネルは、単一の固定ＲＬＣ  ＰＤＵサイズを用いて構成されたＲＬＣインスタンスによって使用される。この例では、２つの論理チャネル９１０および９１５が、同一の優先順位キュー内にはなく、したがって、ＴＳＮフィールド９２０が、両方について存在する。
【００６７】
オプション２ａは、固定ＰＤＵサイズが適用される論理チャネルのセグメント化を可能にする。このオプションを用いると、論理チャネルＩＤの直後のヘッダ部分は、続くフィールドがオプション１で説明した「Ｎ」および「ＳＩＤ」であるかどうかを示す１ビットのフラグフィールド（Ｆｆ）（図示せず）を含む。このフラグが、「Ｎ」および「ＳＩＤ」が存在することを示す場合に、ヘッダ部分の残りは、オプション１と同様に解釈される。
【００６８】
Ｆｆフラグが、「Ｎ」および「ＳＩＤ」が存在することを示さない場合に、ペイロードのセグメント化状況を示すセグメント化表示（ＳＩ）フィールド９８０を含めることができる。たとえば、このフィールドは、最初のペイロード・ユニットがセグメントであるかどうかおよび最後のペイロード・ユニットがセグメントであるかどうかを示すことができる。単一のペイロード・ユニットが許容される時に、このフィールドは、ペイロード・ユニットが完全なＳＤＵまたは開始セグメント、中間セグメント、またはＳＤＵの最終セグメントのどれであるかを示す。ＳＩフィールド９８０は、この論理チャネルと同一の優先順位キュー上で多重化された論理チャネルの前のヘッダ部分で既に示されている場合に、存在しなくてもよい。１つのオプションで、ＴＳＮ  ９２０を含めることができる。このフィールドは、ヘッダ内の前の論理チャネルが同一のリオーダリング・キューを利用している場合に、必要でない場合がある。
【００６９】
オプションで、これがヘッダのＭＡＣ−ｅｈｓペイロード・ユニットの最後のセットであるかどうかを示すフィールドフラグ（Ｆｈ）を含めることができる。このフィールドは、ヘッダの終りがＭＡＣ−ｅｈｓ  ＰＤＵのサイズをこれまでに復号されたペイロードのサイズの合計と比較することによって判定される場合に、必要でない場合がある。その代わりに、このフィールドを使用して、優先順位キューの終りを示すこともできる。
【００７０】
もう１つのオプションで、この論理チャネルのペイロード・ユニットの長さを示す長さインジケータ（ＬＩ）９９０を含めることができる。もう１つの実施形態で説明するように、このフィールドは、このペイロード・ユニットがセグメントであり、ＭＡＣ−ｅｈｓ  ＰＤＵの終りにある場合には必要でない場合がある。ＬＩ  ９９０は、単一の固定ＰＤＵサイズが論理チャネルに適用される場合（たとえば、それが固定ＲＬＣ  ＰＤＵサイズを有するＡＭ  ＲＬＣエンティティによって使用される場合）に、送信器がこのサイズについて知っているならば、ペイロード・ユニットのグループ（たとえば、おそらくはＳＤＵのセグメントが続く完全なＳＤＵ）を示すのに使用することもできる。これは、ＬＩ  ９９０に、ペイロード・ユニットのグループからのバイトの総数を示させることによって達成される。個々のペイロード・ユニットは、既知の固定ＲＬＣ  ＰＤＵサイズによるＬＩ  ９９０値の整数除算を実行することによって決定される。その結果は、完全なＳＤＵの個数であり、除算の剰余は、末尾にあるＳＤＵセグメントのサイズである。もう１つの構成で、ヘッダのバイト整列を維持するのに必要なパディングビット９７０を含めることができる。これらのパディングビット９７０は、その代わりに、複数の論理チャネルからのＳＤＵがＭＡＣ−ｅｈｓ  ＰＤＵ内で多重化される場合に、ヘッダの一番最後に存在することができる。
【００７１】
オプション２ｂは、固定ＰＤＵサイズ（１つまたは複数）が適用される論理チャネルのセグメント化を可能にする。このオプションは、ＳＩフィールド９８０が優先順位キューごとに１回示される時に使用することができる。このオプションを用いると、論理チャネルＩＤ  ９１０の直後のヘッダ部分は、ペイロード・ユニット（１つまたは複数）が、論理チャネルが多重化される優先順位キューの最後であるかどうかを示す１ビットのフラグフィールド（Ｆｆ）（図示せず）を含むことができる。このフラグは、ペイロード・ユニット（１つまたは複数）が優先順位キューの最後であることが他の形でわかる（たとえば、前のヘッダ部分内の他のフィールドを使用して）場合には必要でない場合がある。
【００７２】
これが優先順位キューの最後のペイロード・ユニット（１つまたは複数）ではない場合、またはこの優先順位キューに適用可能なＳＩフィールド９８０が、この優先順位キューの最後のペイロード・ユニットがセグメントではないことを示す場合に、ヘッダ部分の残りは、オプション１として解釈される。
【００７３】
これが優先順位キューの最後のペイロード・ユニット（１つまたは複数）である場合、またはこの優先順位キューに適用可能なＳＩフィールド９８０が、この優先順位キューの最後のペイロード・ユニットがセグメントであることを示す場合に、この論理チャネルのペイロード・ユニットの長さを示すＬＩ  ９９０を含めることができる。もう１つの実施形態で説明するように、このフィールドは、このペイロード・ユニットがセグメントであり、ＭＡＣ−ｅｈｓ  ＰＤＵの終りにある場合には必要でない場合がある。ＬＩ  ９９０は、オプション２ａで説明するように、単一の固定ＰＤＵサイズが論理チャネルに適用される場合に、おそらくはＳＤＵのセグメントが続く完全なＳＤＵのグループを示すのに使用することもできる。もう１つの構成では、ヘッダのバイト整列を維持するのに必要なパディングビット９７０を含めることができる。これらのパディングビット９７０は、その代わりに、複数の論理チャネルからのＳＤＵがＭＡＣ−ｅｈｓ  ＰＤＵ内で多重化される場合に、ヘッダの一番最後に存在することができる。
【００７４】
最適化されたＭＡＣ−ｅｈｓヘッダの導入に伴って、ＳＩの新しい定義を提案した。しかし、提案される方式は、リオーダリングＰＤＵ内の複数のペイロード・ユニットと単一のペイロード・ユニットとの間の区別を正しく扱わない。単一のペイロード・ユニットがリオーダリングＰＤＵ内に存在する時に、どのＳＩ表示を使用すべきかが曖昧である。提案されるＳＩ構造では、「１０」は、完全なユニットである最初のペイロード・ユニットに対応し、リオーダリングＰＤＵ内に複数のペイロード・ユニットが存在する場合に、最後のペイロードは、セグメントである。この定義を用いると、１つのペイロード・ユニットだけが存在する場合に、そのペイロード・ユニットは、完全なＭＡＣ−ｅｈｓ  ＰＤＵであるが、ＭＡＣ−ｅｈｓ  ＰＤＵの最初のセグメントに対応するセグメントでなければならない。さらに、ＳＩが「１１」と同等である時に、この定義は、複数のペイロード・ユニットだけに対応する。ＳＩフィールドをセットする時に、送信器は、単一のペイロード・ユニットがリオーダリングＰＤＵ内に存在する時に、示すべきものを正確に知らなければならない。単一のペイロード・ユニットは、最初の、中間の、最後の、または完全なＭＡＣ−ｅｈｓ  ＳＤＵに対応することができるので、送信器は、セグメントを正しく再アセンブルできるようにするために、正しいＳＩ表示を指定しなければならない。より具体的に言うと、ＳＩフィールドの次の変更および／または解釈を、リオーダリングＰＤＵが１つのペイロード・ユニットだけを含むシナリオを特に包含するために考慮することができる。
【００７５】
図１０および表２に、リオーダリングＰＤＵが１つのペイロード・ユニットだけを含む場合のＳＩフィールドの解釈の変更された方法１０００を示す。リオーダリングＰＤＵのＳＤＵのすべては、ＳＩが「００」と等しい時（図示せず）に、完全なＭＡＣ  ＰＤＵである。図１０に示されているように、１００２で、ＳＩが「０１」と等しい時に、１００７で、リオーダリングＰＤＵの最初のペイロード・ユニットはセグメントであり、ＭＡＣ−ｅｈｓ  ＳＤＵの最後のセグメントに対応する（ＭＡＣ−ｅｈｓ  ＳＤＵは、ＭＡＣ−ｄ  ＰＤＵと交換可能に使用される）。これは、ＰＤＵ内の単一のペイロード・ユニット１００５または複数のペイロード・ユニット１０１０に適用可能である。複数のペイロード・ユニットがある場合に、１００９で、最後のペイロード・ユニットは、完全なＭＡＣ−ｅｈｓ  ＳＤＵである。
【００７６】
１０１２で、ＳＩが「１０」と等しい時に、リオーダリングＰＤＵ内に複数のペイロード・ユニットがある場合には、１０１９で、最初のペイロード・ユニットは完全なＭＡＣ−ｅｈｓ  ＳＤＵである。１０１９で、リオーダリングＰＤＵの最後のペイロード・ユニットは、ＭＡＣ−ｅｈｓ  ＳＤＵのセグメントであり、ＭＡＣ−ｅｈｓ  ＳＤＵの最初のセグメントに対応する。これは、１０１７および１０１９で、リオーダリングＰＤＵに単一のペイロード・ユニットまたは複数のペイロード・ユニットがある場合に対応する。
【００７７】
１０２２でＳＩが「１１」と等しい場合に、１０２７で、最初のペイロード・ユニットは、ＭＡＣ−ｅｈｓ  ＳＤＵのセグメントである。このセグメントが、ＭＡＣ−ｅｈｓ  ＳＤＵの最後のセグメント（複数のペイロード・ユニットがある時）である可能性があり、あるいは、リオーダリングＰＤＵに１つのペイロード・ユニットだけがある場合に中間セグメントである可能性があることに留意されたい。たとえば、１０２７で、複数のペイロード・ユニットがある場合に、このセグメントは、ＭＡＣ−ｅｈｓ  ＳＤＵの最後のセグメントである。１０２７で、単一のペイロード・ユニットがある場合に、このセグメントは、ＭＡＣ−ｅｓ  ＳＤＵの中間セグメントである。複数のペイロード・ユニットがある場合に、１０２９で、最後のペイロード・ユニットは、セグメントである。このセグメントは、１０２９で、ＭＡＣ−ｅｈｓ  ＳＤＵの最初のセグメントになる。
【００７８】
表２に、上で説明したＳＩフィールドの符号化を示すが、ここで、用語ＭＡＣ  ＰＤＵは、ＭＡＣ−ｃ／ｄ  ＰＤＵまたはＭＡＣ−ｅｈｓ  ＳＤＵに対応する。ＳＤＵは、リオーダリングＳＤＵ、またはＭＡＣ−ｅｈｓ  ＳＤＵもしくはそのセグメントの同等物である。
【００７９】
【表２】
0005982534.tif 000003
【００８０】
次の実施形態は、セグメント化の改善されたシグナリングを提供する。この実施形態は、ＳＩフィールド９８０が優先順位キューごとに１回存在する時のＳＩフィールド９８０のビットの符号化の方法を説明する。２つのオプションがあり、一方は２ビットＳＩフィールドに適用され、他方は１ビットＳＩフィールドに適用される。
【００８１】
図１１および下の表３に示されているように、オーバーヘッドを最小にする１つの可能な符号化として２ビットＳＩフィールドを使用することができる。値のそれぞれに関するビット組合せの正確な選択が、任意であり、２つの値が同一のビット組合せに割り当てられるならば変更できることを理解されたい。表３は、セグメント化表示フィールドの改善されたシグナリングの例を示す。
【００８２】
【表３】
0005982534.tif 000004
【００８３】
表３に示された符号化の利益は、ＭＡＣ−ｅｈｓペイロード・ユニット（１つまたは複数）のアドレッシングされるセットが単一ＳＤＵセグメントを有する場合に、判定を、ＳＩフィールドと、このＳＤＵセグメントがＳＤＵを完成させるか否かとに基づくものにすることができることである。そうでない場合に、判定は、パディングビットの存在に基づき、最後のセグメントが残りの使用可能なペイロードに正確にフィットする場合に曖昧さがある可能性すらある。
【００８４】
さらに、表３に示された符号化は、欠けているＭＡＣ−ｅｈｓ  ＰＤＵに対してより堅牢である。たとえば、所与の優先順位キューのＴＳＮ  ＃ｎのＭＡＣ−ｅｈｓ  ＰＤＵが欠けており、ＴＳＮ  ＃ｎ＋１のＭＡＣ−ｅｈｓ  ＰＤＵの最初のペイロード・ユニットがセグメントである場合に、オリジナルの符号化は、最初のペイロード・ユニットが最初のセグメントまたは中間セグメントのどちらであるかの判定を可能にしなかった。後者の場合に、ペイロード・ユニットは、ＳＤＵの最初の部分が欠けているので破棄されなければならないはずである。新しい符号化は、この２つのケースの間で区別することによって、この問題を修正する。
【００８５】
図１２は、ＳＩフィールドを表４に示されているように定義されるものとすることができる符号化を定式化する代替方法１２００の流れ図である。表４は、セグメント化表示フィールドの改善されたシグナリングのための代替定式化を示す。この定式化は、表３に示された定式化と完全に同等であるが、より理解しやすい可能性がある。これは、アドレッシングされるセットに単一のペイロード・ユニットまたは複数のペイロード・ユニットのどちらがあるかに従ってケースを分離することによって達成される。
【００８６】
【表４】
0005982534.tif 000005
【００８７】
【表５】
0005982534.tif 000006
【００８８】
提案されるタイプの符号化を用いると、再アセンブリ機能は、ＳＩフィールド値の選択が表４に示された例に対応するように、次のように変更されるはずである。「リオーダリングＰＤＵ」は、次の手順では、同一の優先順位キューに属するＭＡＣ−ｅｈｓペイロード・ユニットのセットを指す。また、用語「出力エンティティ」が、多重分離するエンティティ、またはＭＡＣ−ｅｈｓの上のレイヤ／サブレイヤ、あるいは再アセンブリ・ユニットがＳＤＵを送達する任意の他のエンティティを指す場合があることに留意されたい。
【００８９】
ＳＩフィールドは、セグメントが開始セグメントまたは中間セグメントであるかどうかを判定するのに使用することができる。複数のケースを、ＳＩフィールドのビット数と、それが優先順位キューごとに１回存在するまたはすべてのＳＤＵもしくはそのセグメントについて存在するかどうかとに依存して区別することができる。
【００９０】
第１の例は、２ビットＳＩであり、優先順位キューごとに１つのＳＩがあり、符号化は、表３または４のいずれかに記載の実施形態による。この例では、ビット組合せは、優先順位キューのアドレッシングされるセットの最後のＳＤＵまたはＳＤＵセグメントがＳＤＵの開始セグメントまたは中間セグメントであるかどうかを示す。
【００９１】
第２の例は、２ビットＳＩであり、表３または４のいずれかに示されたＳＤＵまたはＳＤＵセグメントの符号化ごとに１つのＳＩがある。この例では、ビット組合せは、ＳＤＵまたはＳＤＵセグメントがＳＤＵの開始セグメントまたは中間セグメントであるかどうかを示す。
【００９２】
図１３は、リオーダリングＰＤＵに関連するＳＩフィールドに関する再アセンブリ・ユニット・プロセス１３００の流れ図である。１３１０で、ＳＩフィールドに「００」がセットされて、セットの最初および最後のＭＡＣ−ｅｈｓペイロード・ユニットが完全なＭＡＣ−ｅｈｓ  ＳＤＵであることを示す場合に、１３１５で、そのセット内のＭＡＣ−ｅｈｓペイロード・ユニットに対応するすべてのＭＡＣ−ｅｈｓ  ＳＤＵが出力エンティティに送達される。
【００９３】
１３２０で、ＳＩフィールドに「０１」がセットされて、最初のＭＡＣ−ｅｈｓペイロード・ユニットがＭＡＣ−ｅｈｓ  ＳＤＵのセグメントであるが、最後のＭＡＣ−ｅｈｓペイロード・ユニットが完全なＭＡＣ−ｅｈｓ  ＳＤＵであるか、あるいはＭＡＣ−ｅｈｓ  ＳＤＵの最後のセグメントであることが示される場合に、１３２５で、受信され格納されたＭＡＣ−ｅｈｓペイロード・ユニットが連続であるかどうかの判定を行うことができる。受信され格納されたＭＡＣ−ｅｈｓペイロード・ユニットが連続である場合には、１３３０で、最初に受信されたＭＡＣ−ｅｈｓペイロード・ユニットを、格納されたＭＡＣ−ｅｈｓ  ＳＤＵと組み合わせ、組み合わされたＭＡＣ−ｅｈｓペイロード・ユニットに対応するＭＡＣ−ｅｈｓ  ＳＤＵを出力エンティティに送達する。受信され格納されたＭＡＣ−ｅｈｓペイロード・ユニットが不連続である場合には、１３３５で、受信され格納されたＭＡＣ−ｅｈｓペイロード・ユニットを廃棄し、セット内の後続ＭＡＣ−ｅｈｓペイロード・ユニットに対応するすべてのＭＡＣ−ｅｈｓ  ＳＤＵを出力エンティティに送達する。
【００９４】
１３４０で、ＳＩフィールドに「１０」がセットされて、最後のＭＡＣ−ｅｈｓペイロード・ユニットがＭＡＣ−ｅｈｓ  ＳＤＵのセグメントであるが、その最初が、完全なＭＡＣ−ｅｈｓ  ＳＤＵまたはＭＡＣ−ｅｈｓ  ＳＤＵの最初のセグメントであることが示される場合には、１３４５で、セット内の最後のＭＡＣ−ｅｈｓペイロード・ユニット以外のすべてに対応するすべてのＭＡＣ−ｅｈｓ  ＳＤＵを出力エンティティに送達し、以前に格納されたすべてのＭＡＣ−ｅｈｓペイロード・ユニットを破棄すると同時に、受信されたリオーダリングＰＤＵの最後のＭＡＣ−ｅｈｓペイロード・ユニットを格納する。
【００９５】
１３５０で、ＳＩフィールドに「１１」がセットされて、最初のＭＡＣ−ｅｈｓペイロード・ユニットがＭＡＣ−ｅｈｓ  ＳＤＵの最後のセグメントの中間セグメントであり、最後のＭＡＣ−ｅｈｓペイロード・ユニットがＭＡＣ−ｅｈｓ  ＳＤＵの最初のセグメントまたは中間セグメントであることが示される場合に、１３５５で、受信され格納されたＭＡＣ−ｅｈｓペイロード・ユニットが連続であるかどうかの判定を行うことができる。受信され格納されたＭＡＣ−ｅｈｓペイロード・ユニットが連続である場合には、１３６０で、最初に受信されたＭＡＣ−ｅｈｓペイロード・ユニットを、格納されたＭＡＣ−ｅｈｓペイロード・ユニットと組み合わせる。セット内に複数のＭＡＣ−ｅｈｓペイロード・ユニットがある場合には、１３６５で、組み合わされたＭＡＣ−ｅｈｓペイロード・ユニットに対応するＭＡＣ−ｅｈｓ  ＳＤＵを出力エンティティに送達し、セット内の最後のＭＡＣ−ｅｈｓペイロード・ユニット以外のすべてに対応するすべてのＭＡＣ−ｅｈｓ  ＳＤＵを出力エンティティに送達し、すべての以前に格納されたＭＡＣ−ｅｈｓペイロード・ユニットを破棄すると同時に、受信されたリオーダリングＰＤＵの最後のＭＡＣ−ｅｈｓペイロード・ユニットを格納する。受信され格納されたＭＡＣ−ｅｈｓペイロード・ユニットが不連続である場合には、１３７０で、受信され格納されたＭＡＣ−ｅｈｓペイロード・ユニットを破棄する。
【００９６】
これらの定義を反映するために、ＳＩフィールドの構造を用いて表を更新する１つの可能な代替物を、表４に示す。表４は、表３のＳＩフィールドの定式化と同等のＳＩフィールドの定式化である。表２、３、および４は、２ビットのケースについてＳＩフィールドの再定義に関する解決策の代替であるが、同等の定式化として提示される。
【００９７】
再アセンブリ機能性は、本明細書で開示される記述のうちの１つに基づいて再アセンブリを実行しなければならない。再アセンブリ機能が、これらの定義を考慮に入れるように記述される場合に、送信器は、オプションで、ＳＩフィールドが示すものの知識を必要としないものとすることができる。受信器は、送信器がＳＩフィールドの値に基づいて正しく再アセンブリを実行できるように、すべてのリオーダリングＰＤＵについて正しいＳＩ表示を割り当てる責任を負う。
【００９８】
上で説明した定義は、３ＧＰＰ仕様で定義される定義に関わりなく使用することができる。たとえば、ＳＩ構造は、変更されないままになることができるが、プロプラエタリ解決策は、再アセンブリ機能が正しく動作できるように、上で説明したＳＩの正しいセッティングを考慮に入れる。
【００９９】
ＳＩが「１１」と同等である時に、上で説明した再アセンブリ手順は、それが破棄してはならないＳＤＵを破棄するように進行する。より具体的に言うと、受信され格納されたＭＡＣ−ｅｈｓ  ＳＤＵが不連続である時に、ＳＤＵの両方が破棄される。これは、受信されたリオーダリングＰＤＵ内のすべての残りのペイロード・ユニットが、破棄され、かつ／または正しくは処理されないことを暗示する。
【０１００】
図１４は、ＳＩが「１１」と同等である時に、この問題を回避するために、再アセンブリ・ユニットが組合せ機能をどのように実行できるかの流れ図である。１４１０で、最初の受信され格納されたペイロード・ユニットが連続であるかどうかの判定を行う。１４２０で、最初の受信され格納されたペイロード・ユニットが連続である場合には、それらのペイロード・ユニットを組み合わせなければならない。１４２５で、リオーダリングＰＤＵが複数のペイロード・ユニットを含む場合には、そのシナリオでは最初のペイロード・ユニットがＭＡＣ−ｅｈｓ  ＳＤＵの最後のセグメントに対応するので、組み合わされたパケットをより上位のレイヤに送達するのみでなければならない１４３０。そうではなく、リオーダリングＰＤＵに１つのペイロード・ユニットだけがある場合には、そのセグメントは中間セグメントであり、したがって、１４４０で、組み合わされたパケットを格納しなければならない。
【０１０１】
ＳＩが「１１」と同等である時には、図１４に示されているように、再アセンブリ・ユニットは、破棄機能を実行することができる。１４１０で、ペイロード・ユニットが連続ではない場合に、１４５０で、格納されたペイロード・ユニットおよび最初の受信されたペイロード・ユニット（リオーダリングＰＤＵ内の最初のセグメントまたは唯一のペイロード・ユニット）を破棄しなければならない。１４６０で、リオーダリングＰＤＵに複数のペイロード・ユニットがある場合のように、すべての他のペイロード・ユニットを処理しなければならない。
【０１０２】
図１５は、リオーダリングＰＤＵ内に複数のペイロード・ユニットがある場合に残りのペイロード・ユニットが図４の１４６０でどのように処理されるかの流れ図である。１５１０で、リオーダリングＰＤＵに複数のペイロード・ユニットがある場合に、１５２０で、最後以外のすべての完全なＭＡＣ−ｅｈｓ  ＳＤＵを、より上位のレイヤ（または出力エンティティ）に転送しなければならない。最初のペイロード・ユニットが、既に組み合わされるか破棄されていると仮定されることに留意されたい。最後のペイロード・ユニットは、ＳＤＵの最初のセグメントに対応するが、１５３０で、再アセンブリ・ユニットに格納されなければならない。ＰＤＵが複数のペイロード・ユニットを含まない場合には、格納されたペイロード・ユニットおよび受信されたペイロード・ユニットを、組み合わせ、格納する。これは、図１４で１４４０に示されている。図１６は、図１４および１５に示された組み合わされた再アセンブリ・プロセスの流れ図である。
【０１０３】
ＳＩの定義および上で説明した再アセンブリ機能の説明を反映するために、再アセンブリ・ユニット機能性を、あるいは次の形で更新することができる。この変更が、ＳＩフィールドの解釈を知る必要がないが、その解釈を記述にオプションで追加できるという事実を含むことに留意されたい。用語ＭＡＣ−ｄ  ＰＤＵおよびＭＡＣ−ｃ  ＰＤＵは、ＭＡＣ  ＰＤＵおよびＭＡＣ−ｅｈｓ  ＳＤＵと交換可能に使用され、ＭＡＣ−ｅｈｓ  ＳＤＵは、ペイロード・ユニットと交換可能に使用される。
【０１０４】
図１７は、再アセンブリ・ユニットがリオーダリングＰＤＵに関連するＳＩフィールドをどのように処理するか１７００の流れ図である。１７１０で、ＳＩフィールドに「００」がセットされている場合に、１７２０で、セット内のＭＡＣ−ｅｈｓ  ＳＤＵに対応するすべてのＭＡＣ−ｄ  ＰＤＵをより上位のレイヤに送達する。
【０１０５】
１７３０で、ＳＩフィールドに「０１」がセットされている場合に、１７３５で、受信され格納されたＭＡＣ−ｅｈｓ  ＳＤＵが連続であるかどうかの判定を行う。受信され格納されたＭＡＣ−ｅｈｓ  ＳＤＵが連続である場合に、１７４０で、最初に受信されたＭＡＣ−ｅｈｓ  ＳＤＵを、格納されたＭＡＣ−ｅｈｓ  ＳＤＵと組み合わせ、組み合わされたＭＡＣ−ｅｈｓ  ＳＤＵに対応するＭＡＣ−ｄ  ＰＤＵをより上位のレイヤ（または出力エンティティ）に送達する。受信され格納されたＭＡＣ−ｅｈｓ  ＳＤＵが連続ではない場合には、１７４５で、受信され格納されたＭＡＣ−ｅｈｓ  ＳＤＵを破棄すると同時に、セット内の後続ＭＡＣ−ｅｈｓ  ＳＤＵに対応するすべてのＭＡＣ−ｄ  ＰＤＵをより上位のレイヤ（または出力エンティティ）に送達する。
【０１０６】
１７５０で、ＳＩフィールドに「１０」がセットされている場合に、１７６０で、セット内の最後以外のすべてのＭＡＣ−ｅｈｓ  ＳＤＵに対応するすべてのＭＡＣ−ｄ  ＰＤＵをより上位のレイヤ（または出力エンティティ）に送達し、すべての以前に格納されたＭＡＣ−ｅｈｓ  ＳＤＵを破棄すると同時に、受信されたリオーダリングＰＤＵの最後のＭＡＣ−ｅｈｓ  ＳＤＵを格納する。
【０１０７】
１７７０で、ＳＩフィールドに「１１」がセットされている場合に、１７７５で、受信され格納されたＭＡＣ−ｅｈｓ  ＳＤＵが連続であるかどうかの判定を行うことができる。受信され格納されたＭＡＣ−ｅｈｓ  ＳＤＵが連続である場合に、１７８０で、最初に受信されたＭＡＣ−ｅｈｓ  ＳＤＵを、格納されたＭＡＣ−ｅｈｓ  ＳＤＵと組み合わせる。受信され格納されたＭＡＣ−ｅｈｓ  ＳＤＵが不連続である場合に、１７８５で、最初に受信されたＭＡＣ−ｅｈｓ  ＳＤＵおよび格納されたＭＡＣ−ｅｈｓ  ＳＤＵを破棄する。セット内に複数のＭＡＣ−ｅｈｓ  ＳＤＵがある場合に、１７９０で、組み合わされたＭＡＣ−ｅｈｓ  ＳＤＵに対応するＭＡＣ−ｄ  ＰＤＵを、より上位のレイヤ（または出力エンティティ）に送達し、セット内の最後以外のすべてのＭＡＣ−ｅｈｓ  ＳＤＵに対応するすべてのＭＡＣ−ｄ  ＰＤＵをより上位のレイヤ（または出力エンティティ）に送達し、受信されたリオーダリングＰＤＵの最後のＭＡＣ−ｅｈｓ  ＳＤＵを格納する。この手順は、本質的に、［００５４］で説明した手順と同等である。
【０１０８】
１ビットＳＩフィールドがＭＡＣ−ｅｈｓペイロード・ユニットごとの基礎で使用される時に、前の符号化と同一の利益を提示する符号化を、表５に示す。表５に示された次の例は、１ビットＳＩであり、ＳＤＵまたはＳＤＵセグメント符号化ごとに１つのＳＩがある。この例では、ビットは、ペイロード・ユニットがＳＤＵの開始セグメントまたは中間セグメントであるかどうかを示す。
【０１０９】
【表６】
0005982534.tif 000007
【０１１０】
リオーダリングＰＤＵあたりに単一のＭＡＣ−ｅｈｓペイロード・ユニットがあるはずなので、この場合に、用語「リオーダリングＰＤＵ」を、「ＭＡＣ−ｅｈｓペイロード・ユニット」の代わりに使用することもできることに留意されたい。
【０１１１】
もう１つの実施形態は、ＬＩフィールドを含めることを省略することがどのように可能であるかを示す。このフィールドのサイズがかなりなものになり得る（たとえば、バイト整列されたペイロードについて１１ビット）ので、その相対オーバーヘッドは、ＭＡＣ−ｅｈｓ  ＰＤＵが非常に大きくはない（たとえば、１０００ビット未満）状況で、大きくなり得る。
【０１１２】
この実施形態の原理は、最後のセグメントではない（すなわち、開始セグメントまたは中間セグメントである）ＳＤＵのセグメントである場合に、ＭＡＣ−ｅｈｓ  ＰＤＵに含まれる最後のペイロード・ユニットについてＬＩを省略することである。ペイロードの終りの開始セグメントまたは中間セグメントの存在は、パディングがないことを暗示する。したがって、ＭＡＣ−ｅｈｓ  ＰＤＵを処理する時に、抽出すべきセグメント長は、セグメントの終りがＭＡＣ−ｅｈｓ  ＰＤＵの終りに対応するので、示される必要がない。
【０１１３】
異なる方法を使用して、この状況が適用されるかどうかをヘッダ内で示し、したがって、ＬＩが存在するか否かを示すことができる。方法１は、ＬＩフィールドの存在の暗黙の表示を説明する。この方法では、ＬＩフィールドの存在または不在を示すためにヘッダに追加される特定のフィールドはない。頼られるセグメント化表示（ＳＩ）は、最後の優先順位キューまたは最後のＳＤＵならびにヘッダの終りを判定するための任意の他の方法またはフィールドに適用可能である。
【０１１４】
ヘッダの終りを示す方法は、ヘッダ部分がヘッダの最後であるかどうかを示すフラグフィールド（ＦＱまたは他）を追加することを含むことができる。このオプションがこの方法に含まれる場合に、そのフラグフィールドは、ＬＩの前に存在しなければならない。もう１つの代替方法は、ＭＡＣ−ｅｈｓ  ＰＤＵのサイズとこれまでにヘッダから復号されたペイロード・ユニット（１つまたは複数）の長さの合計との間の差を計算して、ヘッダが追加のペイロード・ユニットに対処するには小さ過ぎるかどうかを判定することであるはずである。
【０１１５】
方法２は、ＬＩフィールドの存在の明示的表示を記述する。この方法では、フラグ（Ｆｌｉ）が、ＬＩがこの論理チャネルからのペイロード・ユニットについて存在するか否かを示すために論理チャネル・アイデンティティの後に存在する。
【０１１６】
このフィールドの存在は、論理チャネルの基礎で定義することができ、より上位のレイヤによってシグナリングすることができる。その代わりに、このフィールドの存在を、論理チャネルの性質に対する事前に決定されるルールによって決定することができる。たとえば、このフィールドを、単一の固定ＲＬＣ  ＰＤＵサイズが適用される論理チャネル（固定ＲＬＣ  ＰＤＵサイズを有するＡＭ  ＲＬＣインスタンスによって使用される時など）または固定ＲＬＣ  ＰＤＵサイズのセットが適用される論理チャネル（固定ＲＬＣ  ＰＤＵサイズのセットを有するＵＭ  ＲＬＣインスタンスによって使用される時など）に制限することが意味を持つ可能性がある。
【０１１７】
上で述べたルールが有用である理由は、柔軟なＲＬＣ  ＰＤＵサイズが適用される論理チャネルの場合のＬＩの相対オーバーヘッドが、通常は非常に小さく、したがって、長さフィールドの省略が必要ではないことであるはずである。
【０１１８】
特徴および要素を、特定の組合せで説明したが、各特徴または要素を、他の特徴および要素なしで単独で使用することができ、あるいは、他の特徴および要素を伴うまたは伴わないさまざまな組合せで使用することができる。提供された方法または流れ図は、汎用コンピュータまたはプロセッサによる実行のためにコンピュータ可読記憶媒体内で有形に実施されるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光媒体を含む。
【０１１９】
適切なプロセッサは、たとえば、汎用プロセッサ、特殊目的プロセッサ、従来のプロセッサ、ディジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブル、ゲートアレイ（ＦＰＧＡ）回路、任意の他のタイプの集積回路（ＩＣ）、および／または状態機械を含む。
【０１２０】
ソフトウェアに関連するプロセッサを、無線送受信ユニット（ＷＴＲＵ）、ユーザ機器（ＵＥ）、端末、基地局、無線ネットワークコントローラ（ＲＮＣ）、または任意のホストコンピュータで使用される無線周波数トランシーバを実施するのに使用することができる。ＷＴＲＵは、カメラ、ビデオカメラモジュール、ビデオ電話機、スピーカホン、振動デバイス、スピーカ、マイクロホン、テレビジョントランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、ディジタル音楽プレイヤ、メディアプレイヤ、ビデオゲームプレイヤモジュール、インターネットブラウザ、および／または任意の無線ローカルエリアネットワーク（ＷＬＡＮ）モジュールなどのハードウェアおよび／またはソフトウェアで実施されるモジュールと共に使用することができる。
【０１２１】
＜実施形態＞
１．異なる論理チャネルおよび優先順位キューからのサービス・データ・ユニット（ＳＤＵ）を多重化する方法であって、
それぞれが少なくとも１つのリオーダリングＳＤＵを含む複数のリオーダリング・プロトコル・データ・ユニット（ＰＤＵ）を連結するステップであって、リオーダリングＳＤＵは、ＳＤＵの少なくともセグメントである、ステップと、
ＭＡＣ−ｅｈｓヘッダを作成するステップであって、
どの論理チャネルにリオーダリングＳＤＵが属するかを示す、メディア・アクセス制御（ＭＡＣ）ＳＤＵの少なくともセグメントごとに論理チャネル・インジケータ（ＬＣＩＤ）を提供するステップと、
リオーダリングＳＤＵの長さを示す、ＭＡＣ  ＳＤＵの少なくともセグメントごとの長さインジケータ（ＬＩ）フィールドを提供するステップと、
リオーダリングの目的でデータ・シーケンス番号を示す、リオーダリングＰＤＵごとの送信シーケンス番号（ＴＳＮ）フィールドを提供するステップと、
リオーダリングＰＤＵの最初および最後のＳＤＵがセグメント化されたかどうかを示すリオーダリングＰＤＵごとのセグメント化表示（ＳＩ）フィールドを提供するステップと、
これが最後のリオーダリングＳＤＵであるかどうかを示す、ＭＡＣ  ＳＤＵの少なくともセグメントごとのフラグ（Ｆ）を提供するステップと
を含む、作成するステップと
を含むことを特徴とする方法。
２．セグメント化表示（ＳＩ）フィールドを符号化し、解釈する方法であって、
ＳＩフィールド値は「００」であるかどうかを判定するステップであって、そうである場合に、リオーダリング・プロトコル・データ・ユニット（ＰＤＵ）の最初のサービス・データ・ユニット（ＳＤＵ）は完全なメディア・アクセス制御（ＭＡＣ）・ＰＤＵであり、リオーダリングＰＤＵの最後のＳＤＵは完全なＭＡＣ  ＰＤＵである、判定するステップと、
ＳＩフィールド値は「０１」であるかどうかを判定するステップであって、そうである場合に、リオーダリングＰＤＵの最初のＰＤＵはＭＡＣ  ＰＤＵの最後のセグメントであり、リオーダリングＰＤＵ内に複数のＳＤＵがある場合に、リオーダリングＰＤＵの最後のＳＤＵは完全なＭＡＣ  ＰＤＵである、判定するステップと、
ＳＩフィールド値は「１０」であるかどうかを判定するステップであって、そうである場合に、リオーダリングＰＤＵの最後のＳＤＵは、ＭＡＣ  ＰＤＵの最初のセグメントであり、リオーダリングＰＤＵ内に複数のＳＤＵがある場合に、リオーダリングＰＤＵの最初のＰＤＵは完全なＭＡＣ  ＰＤＵである、判定するステップと、
ＳＩフィールド値は「１１」であるかどうかを判定するステップであって、そうである場合に、リオーダリングＰＤＵ内に複数のＳＤＵがある場合に、最初のＳＤＵはＭＡＣ  ＰＤＵの最後のセグメントであり、かつリオーダリングＰＤＵの最後のセグメントはＭＡＣ  ＰＤＵの最初のセグメントであり、リオーダリングＰＤＵ内に単一のＳＤＵがある場合に、セグメントはＭＡＣ  ＰＤＵの中間セグメントである、判定するステップと
を含むことを特徴とする方法。
３．リオーダリングＰＤＵが単一のリオーダリングＳＤＵを含む時にセグメンテーション表示（ＳＩ）フィールドを符号化する方法であって、
リオーダリングＳＤＵが完全なＭＡＣ−ｅｈｓ  ＳＤＵである時に第１値を割り当てるステップと、
リオーダリングＳＤＵがＭＡＣ−ｅｈｓ  ＳＤＵの最初のセグメントである時に第２値を割り当てるステップと、
リオーダリングＳＤＵがＭＡＣ−ｅｈｓ  ＳＤＵの最後のセグメントである時に第３値を割り当てるステップと、
リオーダリングＳＤＵがＭＡＣ−ｅｈｓ  ＳＤＵの中間セグメントである時に第４値を割り当てるステップと
を含むことを特徴とする方法。
４．リオーダリングＳＤＵが少なくとも１つのリオーダリングＰＤＵを含む複数のリオーダリングＳＤＵを含む時にセグメント化表示（ＳＩ）フィールドを符号化する方法であって、
最初のリオーダリングＳＤＵが完全なＭＡＣ−ｅｈｓ  ＳＤＵであり、かつ最後のリオーダリングＳＤＵが完全なＭＡＣ−ｅｈｓ  ＳＤＵである時に第１値を割り当てるステップと、
最初のリオーダリングＳＤＵが完全なＭＡＣ−ｅｈｓ  ＳＤＵであり、かつ最後のリオーダリングＳＤＵがＭＡＣ−ｅｈｓ  ＳＤＵの最初のセグメントである時に第２値を割り当てるステップと、
最初のリオーダリングＳＤＵがＭＡＣ−ｅｈｓ  ＳＤＵの最後のセグメントであり、かつ最後のリオーダリングＳＤＵが完全なＭＡＣ−ｅｈｓ  ＳＤＵである時に第３値を割り当てるステップと、
最初のリオーダリングＳＤＵがＭＡＣ−ｅｈｓ  ＳＤＵの最後のセグメントであり、かつ最後のリオーダリングＳＤＵがＭＡＣ−ｅｈｓ  ＳＤＵの最初のセグメントである時に第４値を割り当てるステップと
を含むことを特徴とする方法。
５．リオーダリングＰＤＵが１つのリオーダリングＳＤＵを含む時にセグメント化表示（ＳＩ）フィールドを解釈する方法であって、
ＳＩフィールド値が「０１」であるかどうかを判定するステップであって、そうである場合に、最初のリオーダリングＳＤＵはセグメントであり、かつＭＡＣ−ｅｈｓ  ＳＤＵまたはＰＤＵの最後のセグメントに対応する、判定するステップと、
ＳＩフィールド値が「１０」であるかどうかを判定するステップであって、そうである場合に、最後のリオーダリングＳＤＵはＭＡＣ−ｅｈｓ  ＳＤＵのセグメントであり、かつＭＡＣ−ｅｈｓ  ＳＤＵの最初のセグメントに対応する、判定するステップと、
ＳＩフィールド値が「１１」であるかどうかを判定するステップであって、そうである場合に、リオーダリングＰＤＵの最初のリオーダリングＳＤＵはＭＡＣ−ｅｈｓ  ＳＤＵのセグメントである、判定するステップと
を含むことを特徴とする方法。
６．リオーダリングＰＤＵが複数のリオーダリングＳＤＵを含む場合にセグメント化表示（ＳＩ）フィールドを解釈する方法であって、
ＳＩフィールド値が「０１」であるかどうかを判定するステップであって、そうである場合に、最初のリオーダリングＳＤＵはセグメントであり、かつＭＡＣ−ｅｈｓ  ＳＤＵの最後のセグメントに対応し、かつ最後のリオーダリングＳＤＵは完全なＭＡＣ−ｅｈｓ  ＳＤＵである、判定するステップと、
ＳＩフィールド値が「１０」であるかどうかを判定するステップであって、そうである場合に、最初のリオーダリングＳＤＵは完全なＭＡＣ−ｅｈｓ  ＳＤＵであり、かつ最後のリオーダリングＳＤＵはＭＡＣ−ｅｈｓ  ＳＤＵのセグメントであり、かつＭＡＣ−ｅｈｓ  ＳＤＵの最初のセグメントに対応する、判定するステップと、
ＳＩフィールド値が「１１」であるかどうかを判定するステップであって、そうである場合に、最初のリオーダリングＳＤＵはＭＡＣ−ｅｈｓ  ＳＤＵのセグメントであり、かつ最後のリオーダリングＳＤＵはセグメントである、判定するステップと
を含むことを特徴とする方法。
７．リオーダリングＰＤＵに関連付けられたセグメント化表示（ＳＩ）フィールドを処理するのに再アセンブリ・ユニットを使用する方法であって、
ＳＩフィールドが「００」である時にＭＡＣ−ｅｈｓ  ＳＤＵに対応するすべてのＭＡＣ  ＰＤＵをより上位のレイヤに送達するステップと、
ＳＩフィールドが「０１」である時に受信され格納されたＭＡＣ−ｅｈｓ  ＳＤＵが連続であるかどうかを判定するステップと、
受信され格納されたＭＡＣ−ｅｈｓ  ＳＤＵが連続である時に、最初に受信されたＭＡＣ−ｅｈｓ  ＳＤＵを格納されたＭＡＣ−ｅｈｓ  ＳＤＵと組み合わせ、組み合わされたＭＡＣ−ｅｈｓ  ＳＤＵに対応するＭＡＣ  ＰＤＵをより上位のレイヤに送達するステップと、
受信され格納されたＭＡＣ−ｅｈｓ  ＳＤＵが不連続である時に、受信され格納されたＭＡＣ−ｅｈｓ  ＳＤＵを破棄し、かつ後続ＭＡＣ−ｅｈｓ  ＳＤＵに対応するすべてのＭＡＣ  ＰＤＵをより上位のレイヤに送達するステップと、
ＳＩフィールドが「１０」である時に、最後以外のすべてのＭＡＣ−ｅｈｓ  ＳＤＵに対応するすべてのＭＡＣ  ＰＤＵをより上位のレイヤに送達し、かつすべての以前に格納されたＭＡＣ−ｅｈｓ  ＳＤＵを破棄し、かつ受信されたリオーダリングＰＤＵの最後のＭＡＣ−ｅｈｓ  ＳＤＵを格納するステップと、
ＳＩフィールドが「１１」である時に、受信され格納されたＭＡＣ−ｅｈｓ  ＳＤＵが連続、不連続、または複数のＭＡＣ−ｅｈｓ  ＳＤＵがあるかどうかのいずれであるかを判定するステップと、
最初に受信されたＭＡＣ−ｅｈｓ  ＳＤＵおよび格納されたＭＡＣ−ｅｈｓ  ＳＤＵが連続である時に、最初に受信されたＭＡＣ−ｅｈｓ  ＳＤＵおよび格納されたＭＡＣ−ｅｈｓ  ＳＤＵを組み合わせるステップと、
最初に受信されたＭＡＣ−ｅｈｓ  ＳＤＵおよび格納されたＭＡＣ−ｅｈｓ  ＳＤＵが不連続である時に、最初に受信されたＭＡＣ−ｅｈｓ  ＳＤＵおよび格納されたＭＡＣ−ｅｈｓ  ＳＤＵを破棄するステップと、
複数のＭＡＣ−ｅｈｓ  ＳＤＵがある時に、組み合わされたＭＡＣ−ｅｈｓ  ＳＤＵに対応するＭＡＣ  ＰＤＵをより上位のレイヤまたは出力エンティティに送達し、最後以外のすべてのＭＡＣ−ｅｈｓ  ＳＤＵに対応するすべてのＭＡＣ  ＰＤＵをより上位のレイヤまたは出力エンティティに送達し、受信されたリオーダリングＰＤＵの最後のＭＡＣ−ｅｈｓ  ＳＤＵを格納するステップと
を含むことを特徴とする方法。
８．ＬＩフィールドは、リオーダリングＳＤＵが含むオクテットの正確な個数を指定することを特徴とする実施形態１に記載の方法。
９．異なる論理チャネルおよび優先順位キューからのサービス・データ・ユニット（ＳＤＵ）を多重化するペイロード・ヘッダであって、
複数のキューセクションであって、各キューセクションは、
キューＩＤのデータ・シーケンス番号を示す送信シーケンス番号（ＴＳＮ）と、
ＳＤＵの少なくとも１つのセグメントをどのようにディスアセンブルし、かつ／または再アセンブルすべきか、およびＳＤＵが属する論理チャネルを示す、ＳＤＵ記述スーパーフィールド（ＳＤＳＦ）と
を含む、複数のキューセクション
を含むことを特徴とするペイロード・ヘッダ。
１０．ＳＤＳＦは、
このリオーダリング・キューのペイロードの開始位置にあるデータがＳＤＵのセグメントに対応するかどうかを示す、優先順位キューごとのフル／セグメント開始（ＦＳＳ）フラグと、
このリオーダリング・キューのペイロードの終了位置にあるデータがＳＤＵのセグメントに対応するかどうかを示す、優先順位キューごとのフル／セグメント終了（ＦＳＥ）フラグと、
メディア・アクセス制御（ＭＡＣ）・ＳＤＵの少なくとも１つのセグメントがどの論理チャネルに属するかを示す、ＭＡＣ  ＳＤＵの少なくとも１つのセグメントごとの論理チャネル・インジケータ（ＬＣＩＤ）と、
ＭＡＣ  ＳＤＵの少なくとも１つのセグメントの長さを示す、ＭＡＣ  ＳＤＵの少なくとも１つのセグメントごとの長さ識別子（ＬＩ）フィールドと、
これがＭＡＣ  ＳＤＵの最後の少なくとも１つのセグメントであるかどうかを示す、ＭＡＣ  ＳＤＵの少なくとも１つのセグメントごとのＳＤＵ終了フラグと
をさらに含むことを特徴とする実施形態９に記載のペイロード・ヘッダ。
１１．ＬＩフィールドは、ＭＡＣ  ＳＤＵの少なくとも１つのセグメントが含むビットの正確な個数を指定することを特徴とする実施形態１０に記載のペイロード・ヘッダ。
１２．ＬＩフィールドは、ＭＡＣ  ＳＤＵの少なくとも１つのセグメントが含むオクテットの正確な個数を指定することを特徴とする実施形態１０〜１１に記載のペイロード・ヘッダ。
１３．ＬＩフィールドの長さは、ＭＡＣ  ＳＤＵの最大長さに依存することを特徴とする実施形態１０〜１２のいずれかに記載のペイロード・ヘッダ。
１４．ＭＡＣ  ＳＤＵの最大長さは、再構成の際に変化することを特徴とする実施形態１３に記載のペイロード・ヘッダ。
１５．ＭＡＣ  ＳＤＵの最大長さは、動的に変化することを特徴とする実施形態１３に記載のペイロード・ヘッダ。
１６．ＬＩフィールドの長さは、事前に決定されることを特徴とする実施形態１０〜１５のいずれかに記載のペイロード・ヘッダ。
１７．ＬＩフィールドの事前に決定される所定の長さは、最大ＭＡＣ  ＳＤＵサイズを表すビット数であることを特徴とする実施形態１６に記載のペイロード・ヘッダ。
１８．ＭＡＣ  ＳＤＵの最大長さは、再構成時に変化することを特徴とする実施形態１０〜１７のいずれかに記載のペイロード・ヘッダ。
１９．ＭＡＣ  ＳＤＵの最大長さは、動的に変化することを特徴とする実施形態１０〜１８のいずれかに記載のペイロード・ヘッダ。
２０．ＬＩフィールドの長さは、ＬＣＩＤに依存することを特徴とする実施形態１０〜１９のいずれかに記載のペイロード・ヘッダ。
２１．ＬＩフィールドの長さは、最大ＭＡＣ  ＳＤＵサイズを表すビット数であることを特徴とする実施形態２０に記載のペイロード・ヘッダ。
２２．ＭＡＣ  ＳＤＵの最大長さは、再構成時に変化することを特徴とする実施形態２０〜２１のいずれかに記載のペイロード・ヘッダ。
２３．ＭＡＣ  ＳＤＵの最大長さは、動的に変化することを特徴とする実施形態２０〜２２のいずれかに記載のペイロード・ヘッダ。
２４．ｅｎｈａｎｃｅｄ  ｈｉｇｈ  ｓｐｅｅｄ  ｍｅｄｉｕｍ  ａｃｃｅｓｓ  ｃｏｎｔｒｏｌ（ＭＡＣ−ｅｈｓ）ヘッダを処理する方法であって、
ＭＡＣ−ｅｈｓ  ＰＤＵヘッダをはぎとるステップと、
ＭＡＣ−ｅｈｓ  ＰＤＵヘッダをセクションに分割するステップと、
対応するペイロードを抽出するステップと、
対応するペイロードをヘッダに付け加えるステップと、
リオーダリング・キューＰＤＵを作成するステップと、
リオーダリング・キュー識別（ＩＤ）および送信シーケンス番号（ＴＳＮ）に対応するリオーダリング・キューにリオーダリング・キューＰＤＵを挿入するステップと、
リオーダリング機能を実行するステップと、
ディスアセンブリ機能および／または再アセンブリ機能を実行するステップと、
完全なＭＡＣ  ＳＤＵを正しい論理チャネルに送達することによって多重化分離するステップと
を含むことを特徴とする方法。
２５．ＭＡＣ−ｅｈｓ  ＰＤＵを分割することは、終了フラグを利用することを含むことを特徴とする実施形態２４に記載の方法。
２６．ｉｍｐｒｏｖｅｄ  ｈｉｇｈ  ｓｐｅｅｄ  ｍｅｄｉｕｍ  ａｃｃｅｓｓ  ｃｏｎｔｒｏｌ（ＭＡＣ−ｉ／ｉｓ）ヘッダを処理する方法であって、
ＭＡＣ−ｉ／ｉｓ  ＰＤＵヘッダをはぎとるステップと、
ＭＡＣ−ｉ／ｉｓ  ＰＤＵヘッダをセクションに分割するステップと、
対応するペイロードを抽出するステップと、
対応するペイロードをヘッダに付け加えるステップと、
リオーダリング・キューＰＤＵを作成するステップと、
リオーダリング・キュー識別（ＩＤ）および送信シーケンス番号（ＴＳＮ）に対応するリオーダリング・キューにリオーダリング・キューＰＤＵを挿入するステップと、
リオーダリング機能を実行するステップと、
ディスアセンブリ機能および／または再アセンブリ機能を実行するステップと、
完全なＭＡＣ  ＳＤＵを正しい論理チャネルに送達することによって多重分離するステップと
を含むことを特徴とする方法。
２７．ＭＡＣ−ｉ／ｉｓ  ＰＤＵを分割することは、終了フラグを利用することを含むことを特徴とする実施形態２６に記載の方法。
２８．無線送受信ユニット（ＷＴＲＵ）の各ディスアセンブリ／再アセンブリ／多重分離ユニットのためにデータを処理する方法であって、
サービス・データ・ユニット（ＳＤＵ）の複数の少なくともセグメントを含む少なくとも１つのプロトコル・データ・ユニット（ＰＤＵ）を受信するステップと、
ＳＤＵの少なくともセグメントのすべてをディスアセンブルするステップと、
フル／セグメント開始（ＦＳＳ）フラグに「フル」がセットされ、かつＦＳＥフラグに「フル」がセットされている時に、論理チャネルに対応するより上位のレイヤに第１ＳＤＵを送達し、ＦＳＳフラグに「フル」がセットされている時に１つより多いＳＤＵの少なくともセグメントが抽出された場合に、ＬＣＩＤフィールドによって示される論理チャネルに対応するより上位のレイヤに、最後のＳＤＵの少なくともセグメントまでの抽出されたＳＤＵを送達し、ＦＳＥフラグに「セグメント」がセットされている場合に、再アセンブリ・ユニットに格納された以前のＰＤＵからのすべてのセグメントを破棄し、最後のＳＤＵセグメントを再アセンブリ・ユニットに挿入し、ＦＳＥフラグに「フル」がセットされている場合にＬＣＩＤフィールドによって示される論理チャネルに対応するより上位のレイヤに最後のＳＤＵを送達するステップと、
ＦＳＳフラグに「セグメント」がセットされＴＳＮ＝ｎ−１のデータが以前に送達された時に、以前に格納されたＰＤＵセグメントを用いてＳＤＵセグメントを再アセンブルし、ＳＤＵまたはＳＤＵセグメントが１より多いかフル／セグメント終了（ＦＳＥ）フラグに「フル」がセットされる場合に、論理チャネル・インジケータ（ＬＣＩＤ）フィールドによって示される論理チャネルに対応するより上位のレイヤに完全に再アセンブルされたＳＤＵを送達し、ＳＤＵの１つより多い少なくともセグメントが抽出された場合に、ＬＣＩＤフィールドによって示される論理チャネルに対応するより上位のレイヤにＳＤＵの最初のおよび最後の少なくともセグメントの間の抽出されたＳＤＵを送達し、ＦＳＥフラグに「セグメント」がセットされている場合に、再アセンブリ・ユニット内に格納された以前のＰＤＵからのすべてのセグメントを破棄し最後のＳＤＵセグメントを再アセンブリ・ユニットに挿入し、ＦＳＥフラグに「フル」がセットされている場合に、ＬＣＩＤフィールドによって示される論理チャネルに対応するより上位のレイヤに最後のＳＤＵを送達するステップと、
ＴＳＮ＝ｎ−１のデータが以前に送達されていない場合に、再アセンブリ・ユニットに格納された以前のＰＤＵからのすべてのセグメントを破棄し、最後のＳＤＵセグメントを再アセンブリ・ユニットに挿入し、ＳＤＵの１つより多数の少なくともセグメントが抽出されている場合に、ＬＣＩＤフィールドによって示される論理チャネルに対応するより上位のレイヤにＳＤＵの少なくともセグメントの最初と最後との間にある抽出されたＳＤＵを送達し、ＦＳＥフラグに「セグメント」がセットされている場合に、再アセンブリ・ユニットに格納された以前のＰＤＵからのすべてのセグメントを破棄し、最後のＳＤＵセグメントを再アセンブリ・ユニットに挿入し、ＦＳＥフラグに「フル」がセットされている場合に、ＬＣＩＤフィールドによって示される論理チャネルに対応するより上位のレイヤに最後のＳＤＵを送達するステップと、
ＦＳＥフラグに「セグメント」がセットされＴＳＮ＝ｎ−１のデータが以前に送達された時に、以前に格納されたＰＤＵセグメントと共にＳＤＵセグメントを再アセンブルし、ＳＤＵの少なくともセグメントが１つ未満であるまたはＦＳＥフラグに「セグメント」がセットされている場合に、組み合わされたパケットを格納するステップと
を含むことを特徴とする方法。
２９．ペイロード・ユニットを受信するように構成された受信器と、
ペイロード・ユニットを多重化し、多重分離するように構成されたプロセッサと、
再アセンブリのために不完全なサービス・データ・ユニット（ＳＤＵ）を格納するように構成されたバッファと、
再アセンブルされたＳＤＵを送信するように構成された送信器と
を含むことを特徴とする無線送受信ユニット（ＷＴＲＵ）。
３０．プロセッサは、リオーダリングユニットを含むことを特徴とする実施形態２９に記載のＷＴＲＵ。
３１．プロセッサは、ディスアセンブリ／再アセンブリ・ユニットを含むことを特徴とする実施形態２９または３０に記載のＷＴＲＵ。
３２．ｅｎｈａｎｃｅｄ  ｈｉｇｈ  ｓｐｅｅｄ  ｍｅｄｉｕｍ  ａｃｃｅｓｓ  ｃｏｎｔｒｏｌ（ＭＡＣ−ｅｈｓ）ＰＤＵヘッダをはぎとるように構成された回路と、
ＭＡＣ−ｅｈｓ  ＰＤＵヘッダをセクションに分割するように構成された回路と、
対応するペイロードを抽出するように構成された回路と、
対応するペイロードをヘッダに付け加えるように構成された回路と、
リオーダリング・キューＰＤＵを作成するように構成された回路と、
リオーダリング・キュー識別（ＩＤ）および送信シーケンス番号（ＴＳＮ）に対応するリオーダリング・キューにリオーダリング・キューＰＤＵを挿入するように構成された回路と、
リオーダリング機能を実行するように構成された回路と、
ディスアセンブリ機能および／または再アセンブリ機能を実行するように構成された回路と、
完全なＭＡＣ  ＳＤＵを正しい論理チャネルに送達するように構成された回路と
を含むことを特徴とするＭＡＣ−ｅｈｓヘッダを処理するように構成された無線送受信ユニット（ＷＴＲＵ）。
３３．ペイロード・ユニットを受信するように構成された受信器と、
ペイロード・ユニットを多重化し、多重分離するように構成されたプロセッサと、
再アセンブリのために不完全なサービス・データ・ユニット（ＳＤＵ）を格納するように構成されたバッファと、
ＭＡＣ−ｅｈｓプロトコル・データ・ユニット（ＰＤＵ）を送信するように構成された送信器と
を含むことを特徴とする基地局。
３４．ｉｍｐｒｏｖｅｄ  ｈｉｇｈ  ｓｐｅｅｄ  ｍｅｄｉｕｍ  ａｃｃｅｓｓ  ｃｏｎｔｒｏｌ（ＭＡＣ−ｉ／ｉｓ）ＰＤＵヘッダをはぎとるように構成された回路と、
ＭＡＣ−ｉ／ｉｓ  ＰＤＵヘッダをセクションに分割するように構成された回路と、
対応するペイロードを抽出するように構成された回路と、
対応するペイロードをヘッダに付け加えるように構成された回路と、
リオーダリング・キューＰＤＵを作成するように構成された回路と、
リオーダリング・キュー識別（ＩＤ）および送信シーケンス番号（ＴＳＮ）に対応するリオーダリング・キューにリオーダリング・キューＰＤＵを挿入するように構成された回路と、
リオーダリング機能を実行するように構成された回路と、
ディスアセンブリ機能および／または再アセンブリ機能を実行するように構成された回路と、
完全なＭＡＣ  ＳＤＵを正しい論理チャネルに送達するように構成された回路と
を含むことを特徴とするＭＡＣ−ｉ／ｉｓヘッダを処理するように構成された基地局。
【図１】
0005982534.tif 000008
【図２】
0005982534.tif 000009
【図３ａ】
0005982534.tif 000010
【図３ｂ】
0005982534.tif 000011
【図４】
0005982534.tif 000012
【図５】
0005982534.tif 000013
【図６】
0005982534.tif 000014
【図７】
0005982534.tif 000015
【図８】
0005982534.tif 000016
【図９】
0005982534.tif 000017
【図１０】
0005982534.tif 000018
【図１１】
0005982534.tif 000019
【図１２】
0005982534.tif 000020
【図１３】
0005982534.tif 000021
【図１４】
0005982534.tif 000022
【図１５】
0005982534.tif 000023
【図１６】
0005982534.tif 000024
【図１７】
0005982534.tif 000025